(57)【要約】【課題】熱歪材料の疲労による劣化を防ぐこと。【解決手段】冷却加熱ユニット（5）は、引張力を付与することで発熱し引張力を解除することで吸熱する熱歪材料（21）と、熱歪材料（21）に引張力を付与するアクチュエータ（22）とを有する冷却加熱モジュール（20）と、熱歪材料（21）への引張力の付与と解除を切り換える切換制御部（35）と、対象物への冷却又は加熱が停止された場合、熱歪材料（21）に付与されている引張力を解除する引張解除部（36）とを備えている。【選択図】図９
2014077604.tif 000002
【特許請求の範囲】
【請求項１】
対象物を冷却又は加熱させる冷却加熱ユニットであって、
引張力を付与することで発熱し該引張力を解除することで吸熱する熱歪材料（21）と、該熱歪材料（21）に引張力を付与するアクチュエータ（22）とを有する冷却加熱モジュール（20）と、
上記熱歪材料（21）への引張力の付与と解除を切り換える切換制御部（35）と、
上記対象物への冷却又は加熱が停止された場合、上記熱歪材料（21）に付与されている引張力を解除する引張解除部（36）とを備えている
ことを特徴とする冷却加熱ユニット。
【請求項２】
上記請求項１の冷却加熱ユニットと、冷却加熱モジュール（20）の熱歪材料（21）の表面に設けられ、空気中の水分の吸着と脱離が可能な吸着層（23）を有する調湿モジュール（70）とを備え、
上記熱歪材料（21）への引張力の付与と解除を切り換えて上記吸着層（23）を冷却又は加熱する
ことを特徴とする調湿ユニット。
【請求項３】
上記請求項１の冷却加熱ユニット又は上記請求項２の調湿ユニットと、モジュール（20,70）の上記熱歪材料（21）に空気を供給する送風ファン（30）とを備え、
上記引張解除部（36）は、対象物の冷却又は加熱が停止された場合、上記熱歪材料（21）の引張力の解除を上記送風ファン（30）の停止後に行うよう構成されている
ことを特徴とする空気調和装置。
【請求項４】
上記請求項２の調湿ユニットを備え、調湿モジュール（70）は、それぞれの熱歪材料（21,21）に吸着層（23）が設けられた第１調湿モジュール（70a）と第２調湿モジュール（70b）とを備える一方、
上記第１調湿モジュール（70a）の吸着層（23）で空気中の水分を吸着すると共に上記第２調湿モジュール（70b）の吸着層（23）から空気中に水分を放出する第１動作と、上記第２調湿モジュール（70b）の吸着層（23）で空気中の水分を吸着すると共に上記第１調湿モジュール（70a）の吸着層（23）から空気中に水分を放出する第２動作とを交互に行い、各吸着層（23,23）を通過した空気の一方を供給空気（SA）として室内（3）へ供給して他方を排出空気（EA）として室外へ排出する調湿運転を行うよう構成されている
ことを特徴とする空気調和装置。
【請求項５】
請求項４において、
上記調湿運転が停止した場合、該調湿運転を停止させる際に空気中の水分を吸着した調湿モジュール（70a,70b）の吸着層（23）から空気中に水分を放出させる動作によって調湿運転を再開させる再開制御部（71）を備えている
ことを特徴とする空気調和装置。
【請求項６】
請求項４において、
上記各調湿モジュール（70a,70b）の吸着層（23,23）の空気中の水分の吸着と脱離とを停止した状態で各吸着層（23,23）に空気を通過させ、該通過させた空気の一方を供給空気（SA）として室内へ供給して他方を排出空気（EA）として室外へ排出する換気運転を行う換気制御部（72）を備え、
上記引張解除部（36）は、上記換気運転中において上記熱歪材料（21）への引張力を解除するよう構成されている
ことを特徴とする空気調和装置。
【発明の詳細な説明】
【技術分野】
【０００１】
本発明は、熱歪材料を有した冷却加熱ユニット、調湿ユニット及びそれを用いた空気調和装置に関するものである。
【背景技術】
【０００２】
従来、ゴムなどの弾性体を断熱伸長させるときに発熱し、断熱収縮させるときに吸熱する性質を利用したヒートポンプ装置が知られている（例えば、特許文献１，２を参照）。このヒートポンプ装置を空気調和装置に適用すると、上記弾性体の断熱伸長時に加熱した空気を室内に供給すると暖房運転を行うことができ、上記弾性体の断熱収縮時に冷却した空気を室内に供給すると冷房運転を行うことができる。
【先行技術文献】
【特許文献】
【０００３】
【特許文献１】特開平３−２８６９７５号公報
【特許文献２】特開平１０−２５９９６５号公報
【発明の概要】
【発明が解決しようとする課題】
【０００４】
しかしながら、上述した空気調和装置が、弾性体の断熱伸長時に運転停止した場合、再び運転が開始されるまでの間、弾性体は伸長した状態が維持されることになる。この状態が長期間に及ぶと、弾性体が疲労によって劣化し、強度が低下するという問題があった。
【０００５】
本発明は、このような問題点に鑑みてなされたものであり、その目的は、熱歪材料の疲労による劣化を防ぐことである。
【課題を解決するための手段】
【０００６】
第１の発明は、対象物を冷却又は加熱させる冷却加熱ユニットであって、引張力を付与することで発熱し該引張力を解除することで吸熱する熱歪材料（21）と、該熱歪材料（21）に引張力を付与するアクチュエータ（22）とを有する冷却加熱モジュール（20）と、上記熱歪材料（21）への引張力の付与と解除を切り換える切換制御部（35）と、上記対象物の冷却又は加熱が停止された場合、上記熱歪材料（21）に付与されている引張力を解除する引張解除部（36）とを備えている。
【０００７】
上記第１の発明では、切換制御部（35）がアクチュエータ（22）による熱歪材料（21）への引張力の付与と解除を切り換えることにより、対象物を冷却又は加熱することができる。
【０００８】
ここで、アクチュエータ（22）が熱歪材料（21）に引張力を付与すると、そのエントロピーが減少し、その分、分子運動エネルギーが増加し、熱歪材料（21）が発熱する。また、熱歪材料（21）への張力の付与を解除すると、マルテンサイト相から母相（オーステナイト相）に変化し、該熱歪材料（21）が断熱されていた場合、エントロピーを大きくするために分子運動からエネルギーを奪うことで熱歪材料（21）の温度が下がる。
【０００９】
そして、引張解除部（36）は、対象物への冷却又は加熱が停止された場合、熱歪材料（21）に付与されている引張力を解除する。
【００１０】
第２の発明は、上記第１の発明の冷却加熱ユニットと、冷却加熱モジュール（20）の熱歪材料（21）の表面に設けられ、空気中の水分の吸着と脱離が可能な吸着層（23）を有する調湿モジュール（70）とを備え、上記熱歪材料（21）への引張力の付与と解除を切り換えて上記吸着層（23）を冷却又は加熱する。
【００１１】
第２の発明では、切換制御部（35）がアクチュエータ（22）による熱歪材料（21）への引張力の付与と解除を切り換えることにより、吸着層（23）が冷却又は加熱され、吸着層（23）において空気中の水分の吸着と脱離が行われる。
【００１２】
そして、引張解除部（36）は、吸着層（23）の冷却又は加熱が停止された場合、熱歪材料（21）に付与されている引張力を解除する。
【００１３】
第３の発明は、上記第１の発明の冷却加熱ユニット又は上記第２の発明の調湿ユニットと、モジュール（20,70）の上記熱歪材料（21）に空気を供給する送風ファン（30）とを備え、
上記引張解除部（36）は、対象物の冷却又は加熱が停止された場合、上記熱歪材料（21）の引張力の解除を上記送風ファン（30）の停止後に行うよう構成されている。
【００１４】
上記第３の発明では、送風ファン（30）によって第１の発明の冷却加熱モジュール（20）又は第２の発明の調湿モジュール（70）の熱歪材料（21）に空気が供給される。そして、引張解除部（36）は、対象物の冷却又は加熱が停止された場合、送風ファン（30）を停止した後に熱歪材料（21）へ付与した引張力を解除する。
【００１５】
第４の発明は、上記第２の発明の調湿ユニットを備え、調湿モジュール（70）は、それぞれの熱歪材料（21,21）に吸着層（23）が設けられた第１調湿モジュール（70a）と第２調湿モジュール（70b）とを備える一方、上記第１調湿モジュール（70a）の吸着層（23）で空気中の水分を吸着すると共に上記第２調湿モジュール（70b）の吸着層（23）から空気中に水分を放出する第１動作と、上記第２調湿モジュール（70b）の吸着層（23）で空気中の水分を吸着すると共に上記第１調湿モジュール（70a）の吸着層（23）から空気中に水分を放出する第２動作とを交互に行い、各吸着層（23,23）を通過した空気の一方を供給空気（SA）として室内（3）へ供給して他方を排出空気（EA）として室外へ排出する調湿運転を行うよう構成されている。
【００１６】
上記第４の発明では、調湿運転が行われる。調湿運転では、第１動作と第２動作とが交互に行われる。第１動作では、第１調湿モジュール（70a）の吸着層（23）を冷却して空気中の水分が吸着され、第２調湿モジュール（70b）の吸着層（23）を加熱して該吸着層（23）から空気中へ水分が放出される。また、第２動作では、第２調湿モジュール（70b）の吸着層（23）を冷却して空気中の水分が吸着され、第１調湿モジュール（70a）の吸着層（23）を加熱して該吸着層（23）から空気中へ水分が放出される。そして、各吸着層（23,23）を通過した空気の一方を室内（3）へ供給し、他方を室外へ排出する。
【００１７】
第５の発明は、上記第４の発明において、上記調湿運転が停止した場合、該調湿運転を停止させる際に空気中の水分を吸着した調湿モジュール（70a,70b）の吸着層（23）から空気中に水分を放出させる動作によって調湿運転を再開させる再開制御部（71）を備えている。
【００１８】
上記第５の発明では、再開制御部（71）は、調湿運転が停止した後、再び調湿運転を再開させる場合、２つの調湿モジュール（70a,70b）のうち、調湿運転の停止前に空気中の水分が吸着された吸着層（23）に対応する調湿モジュール（70a,70b）の熱歪材料（21）に引張力を付与して吸着層（23）を加熱する。こうすることで、調湿運転の再開直後に、吸着層（23）に吸着された水分を空気に放出することができる。
【００１９】
第６の発明は、上記第４の発明において、上記各調湿モジュール（70a,70b）の吸着層（23,23）の空気中の水分の吸着と脱離とを停止した状態で各吸着層（23,23）に空気を通過させ、該通過させた空気の一方を供給空気（SA）として室内へ供給して他方を排出空気（EA）として室外へ排出する換気運転を行う換気制御部（72）を備え、
上記引張解除部（36）は、上記換気運転中において上記熱歪材料（21）への引張力を解除するよう構成されている。
【００２０】
上記第６の発明では、換気制御部（72）は、換気運転を行う。換気運転では、換気制御部（72）が、各調湿モジュール（70a,70b）の吸着層（23,23）への加熱および冷却を停止させた状態で、各吸着層（23,23）を通過した空気の一方を供給空気（SA）として室内へ供給し、他方を排出空気（EA）として室外へ排出する。そして、引張解除部（36）は、換気運転中において熱歪材料（21）への引張力を解除する。
【発明の効果】
【００２１】
上記第１の発明によれば、対象物への冷却又は加熱が停止したら熱歪材料（21）への引張力を解除したため、熱歪材料（21）が発熱又は吸熱しない場合に該熱歪材料（21）に引張力が付与され続けるのを防止することができる。これにより、長期間の間、熱歪材料（21）に引張力が付与され続けるのを防ぐことができる。この結果、熱歪材料（21）が疲労して劣化するのを確実に防止することができる。
【００２２】
上記第２の発明によれば、吸着層（23）の冷却又は加熱が停止したら熱歪材料（21）の引張力を解除するようにしたため、発熱又は吸熱しない場合に熱歪材料（21）に引張力が付与され続けるのを防止することができる。これにより、長期間の間、熱歪材料（21）に引張力が付与され続けるのを防ぐことができる。この結果、熱歪材料（21）が疲労して劣化するのを確実に防止することができる。
【００２３】
上記第３の発明によれば、送風ファン（30）の停止後に熱歪材料（21）への引張力を解除したため、引張力が解除された熱歪材料（21）に送風ファン（30）によって空気が送られ続けるのを防止することができる。このため、熱歪材料（21）が吸熱又は発熱されて冷却又は加熱された空気が送られるのを防止することができる。
【００２４】
上記第５の発明によれば、調湿運転停止の際に水分を吸着した吸着層（23）から水分を放出させる動作によって調湿運転を再開させたため、調湿運転の再開直後に吸着層（23）の水分を空気に放出することができる。これにより、吸着層（23）が吸着した水分をすぐに利用することができる。
【００２５】
上記第６の発明によれば、換気運転中において熱歪材料（21）へ付与される引張力を解除したため、熱歪材料（21）が発熱又は吸熱しない状態で該熱歪材料（21）に引張力が付与されるのを防止することができる。これにより、長期間の間、熱歪材料（21）に引張力が付与され続けるのを防ぐことができる。この結果、熱歪材料（21）が疲労して劣化するのを確実に防止することができる。
【図面の簡単な説明】
【００２６】
【図１】図１は、本発明の実施形態１及び実施形態４に係る空気調和装置を室内に設置した状態を示す概略図であり、図１（Ａ）が冷却動作の運転状態を示し、図１（Ｂ）が加熱動作の運転状態を示している。
【図２】図２（Ａ）は、図１の空気調和装置に用いられる冷却加熱モジュールの概略構成図であり、図２（Ｂ）は調湿モジュールの概略構成図である。
【図３】図３は、熱歪材料におけるＴ−Ｓ線図を示すものである。
【図４】図４（Ａ）は冷却加熱モジュールの概略構成図において加熱動作の状態を示す図であり、図４（Ｂ）は冷却加熱モジュールの概略構成図において冷却動作の状態を示す図である。
【図５】図５は、本発明の実施形態１に係るコントローラの構成を示すブロック図である。
【図６】図６は、張力調整手段の一例を示すものである。
【図７】図７は、張力調整手段の一例を示すものである。
【図８】図８は、本実施形態１の制御例を示す図である。
【図９】図９は、本実施形態１の制御例を示す図である。
【図１０】図１０は、実施形態１の変形例１及び実施形態４の変形例１に係る空気調和装置を室内に設置した状態を示す概略図であり、図１０（Ａ）は第１の運転状態、図１０（Ｂ）は第２の運転状態を示している。
【図１１】図１１は、本実施形態１の変形例１の制御例を示す図である。
【図１２】図１２は、実施形態１の変形例２及び実施形態４の変形例２に係る空気調和装置を室内に設置した状態を示す概略図であり、図１２（Ａ）は第１の運転状態、図１２（Ｂ）は第２の運転状態を示している。
【図１３】図１３は、実施形態１の変形例３及び実施形態４の変形例３に係る空気調和装置を設置した状態を示す概略図である。
【図１４】図１４は、図１３の空気調和装置の第１の運転動作を示す図であり、図１４（Ａ）は平面構造図、図１４（Ｂ）は左側面構造図、図１４（Ｃ）は右側面構造図である。
【図１５】図１５は、図１３の空気調和装置の第２の運転動作を示す図であり、図１５（Ａ）は平面構造図、図１５（Ｂ）は左側面構造図、図１５（Ｃ）は右側面構造図である。
【図１６】図１６は、本発明の実施形態１の変形例３に係るコントローラの構成を示すブロック図である。
【図１７】図１７は、実施形態２及び実施形態４に係る空気調和装置を室内に設置した状態を示す概略図であり、図１７（Ａ）が加熱動作の運転状態を示し、図１７（Ｂ）が冷却動作の運転状態を示している。
【図１８】図１８は、本実施形態２の制御例を示す図である。
【図１９】図１９は、本実施形態２の制御例を示す図である。
【図２０】図２０は、実施形態２の変形例１及び実施形態４の変形例１に係る空気調和装置を室内に設置した状態を示す概略図であり、図２０（Ａ）は第１の運転状態、図２０（Ｂ）は第２の運転状態を示している。
【図２１】図２１は、本実施形態２の変形例１の制御例を示す図である。
【図２２】図２２は、実施形態２の変形例２及び実施形態４の変形例２に係る空気調和装置を室内に設置した状態を示す概略図であり、図２２（Ａ）は第１の運転状態、図２２（Ｂ）は第２の運転状態を示している。
【図２３】図２３は、実施形態２の変形例３及び実施形態４の変形例３に係る空気調和装置を設置した状態を示す概略図である。
【図２４】図２４は、図２３の空気調和装置の第１の運転動作を示す図であり、図２４（Ａ）は平面構造図、図２４（Ｂ）は左側面構造図、図２４（Ｃ）は右側面構造図である。
【図２５】図２５は、図２３の空気調和装置の第２の運転動作を示す図であり、図２５（Ａ）は平面構造図、図２５（Ｂ）は左側面構造図、図２５（Ｃ）は右側面構造図である。
【図２６】図２６は、実施形態３及び実施形態４の変形例４に係る空気調和装置を室内に設置した状態を示す概略図であり、図２６（Ａ）は第１の運転状態、図２６（Ｂ）は第２の運転状態を示している。
【図２７】図２７は、実施形態３の変形例１及び実施形態４の変形例４に係る空気調和装置を室内に設置した状態を示す概略図であり、図２７（Ａ）は第１の運転状態、図２７（Ｂ）は第２の運転状態を示している。
【図２８】図２８は、実施形態５に係る冷却加熱モジュールの構造を示す斜視図である。
【図２９】図２９は、実施形態５に係るカムの形状例を示す図である。
【図３０】図３０は、実施形態５に係るカムの形状例を示す図である。
【図３１】図３１は、実施形態５に係るカムの形状例を示す図である。
【図３２】図３２は、実施形態５の変形例１に係る冷却加熱モジュールの構造を示す斜視図である。
【図３３】図３３は、実施形態５の変形例２に係る冷却加熱モジュールの構造を示す斜視図である。
【図３４】図３４は、実施形態５の変形例３に係る冷却加熱モジュールの構造を示す斜視図である。
【図３５】図３５は、実施形態５の変形例４に係る冷却加熱モジュールの構造を示す斜視図である。
【図３６】図３６は、実施形態５の変形例５に係る冷却加熱モジュールの構造を示す斜視図である。
【図３７】図３７は、実施形態５の変形例６に係る冷却加熱モジュールの構造を示す斜視図である。
【図３８】図３８は、実施形態５の変形例７に係る冷却加熱モジュールの構造を示す斜視図である。
【図３９】図３９は、実施形態５の変形例７に係るアクチュエータの構成を模式的に示す図である。
【図４０】図４０は、実施形態５の変形例８に係る冷却加熱モジュールの構造を示す斜視図である。
【図４１】図４１は、調湿装置に用いられる調湿モジュールの概略構成図である。
【図４２】図４２は、（Ａ）は調湿モジュールの概略構成図において放湿運転の状態を示す図であり、（Ｂ）は調湿モジュールの概略構成図において吸湿運転の状態を示す図である。
【図４３】図４３は、実施形態６の変形例１に係る調湿装置を設置した状態を示す概略図である。
【図４４】図４４は、図４３の調湿装置の第１の運転動作を示す図であり、図４４（Ａ）は平面構造図、図４４（Ｂ）は左側面構造図、図４４（Ｃ）は右側面構造図である。
【図４５】図４５は、図４３の調湿装置の第２の運転動作を示す図であり、図４５（Ａ）は平面構造図、図４５（Ｂ）は左側面構造図、図４５（Ｃ）は右側面構造図である。
【図４６】図４６は、本発明の実施形態６の変形例１に係るコントローラの構成を示すブロック図である。
【図４７】図４７は、実施形態６の変形例１に係る制御例を示す図である。
【図４８】図４８は、実施形態６の変形例２に係る調湿装置の換気運転を示す図である。
【図４９】図４９は、実施形態６の変形例２に係る制御例を示す図である。
【図５０】図５０は、その他の形態に係るアクチュエータの構成を示す図である。
【図５１】図５１は、その他の形態に係るアクチュエータの構成を示す図である。
【図５２】図５２は、その他の形態に係るアクチュエータの構成を示す図である。
【図５３】図５３は、その他の形態に係るアクチュエータの構成を示す図である。
【図５４】図５４は、その他の形態に係る調湿モジュールを示す図である。
【発明を実施するための形態】
【００２７】
以下、本発明の実施形態を図面に基づいて詳細に説明する。
【００２８】
《発明の実施形態１》
−装置の全体構成−
図１は、実施形態１に係る空気調和装置（1）を建物（2）の室内（空調対象空間）（3）に設置した状態を示す概略図であり、図１（Ａ）が冷却動作（吸熱動作）の空調運転状態を示し、図１（Ｂ）が加熱動作（放熱動作）の空調運転状態を示している。実施形態１の空気調和装置（1）は、冷房専用機として構成されている。
【００２９】
この空気調和装置（1）は、ケーシング（10）と、ケーシング（10）内に収納された冷却加熱モジュール（20）と、冷却加熱モジュール（20）に空気を流すファン（30）と、コントローラ（33）とを備えている。
【００３０】
ケーシング（10）内には、該ケーシング（10）内に導入された空気を冷却加熱モジュール（20）に通すための空気通路（P）が形成されている。具体的には、室内（3）からケーシング（10）内に吸い込まれた空気は空気通路（P）を通る際に冷却加熱モジュール（20）で処理されて室内（3）に戻される。また、この空気調和装置（1）は、後述するように間欠的に室内（3）を冷やすように構成されており、室内（3）の冷却を休止しているときには、室外からケーシング（10）内に吸い込まれた空気が空気通路（P）を通る際に冷却加熱モジュール（20）から熱を奪って再び室外に放出される。
【００３１】
以上の空気流れを実現するために、この空気調和装置（1）は、室内からの吸込空気、室内への吹出空気、室外からの吸込空気、及び室外への吹出空気が混合しないように、図示していない仕切板やダンパ等でケーシング（10）内が区画されている。
【００３２】
−冷却加熱モジュール−
冷却加熱モジュール（20）は、概略の構成を図２（Ａ）に示すように、熱歪材料（21）と、該熱歪材料（21）に引張力を付与するアクチュエータ（22）とを備えている。
【００３３】
上記熱歪材料（21）は、例示として形状記憶合金によって構成され、張力をかけることで対象物を加熱する一方、張力を解除することで対象物を冷却するものである。具体的には、図３に示すように、熱歪材料（21）に張力をかけると、母相（オーステナイト相）からマルテンサイト相へと相変化することで、エントロピーが減少し、その分、発熱して熱歪材料（21）自身が加熱される（ＩからII）。熱歪材料（21）に張力をかけたまま、該熱歪材料（21）を加熱対象物に接触させると、熱歪材料（21）の熱が加熱対象物に伝わる（IIからIII）。こうすることで、熱歪材料（21）の温度は下がる。そして、熱歪材料（21）にかけられている張力を除去（解除）すると、マルテンサイト相から母相（オーステナイト相）に変化する（IIＩからIV）。このとき、熱歪材料（21）が断熱されていると、熱歪材料（21）の温度が下がる。温度が下がった熱歪材料に冷却対象物を接触させると、該冷却対象物の熱が熱歪材料（21）に伝わる（IVからＩ）。
【００３４】
したがって、図４（Ａ）に示すように、熱歪材料（21）に引張力を付与すると、熱歪材料（21）が発熱する。冷却加熱モジュール（20）を通過した空気は温度が上昇する。逆に図４（Ｂ）に示すように熱歪材料（21）への引張力を解除すると、熱歪材料（21）が吸熱する。冷却加熱モジュール（20）を通過した空気は温度が低下する。この空気調和装置（1）では、熱歪材料（21）の加熱動作と冷却動作が交互に行われ、冷却動作を用いた空調運転の一種である冷房運転が間欠的に行われる。
【００３５】
なお、熱歪材料（21）は、冷却加熱中には動作開始から能力のピークを越えると能力が低下する。そのため、冷却動作と加熱動作が交互に切り換えられる。
【００３６】
熱歪材料（21）には、一例として、チタン（Ｔｉ）／ニッケル（Ｎｉ）系の合金（例えば形状記憶合金）や、エラストマ樹脂を挙げることができる。
【００３７】
上記アクチュエータ（22）は、熱歪材料（21）に引張力を付与するためのものである。アクチュエータ（22）は、後述する切換制御部（35）に接続され、該切換制御部（35）によって熱歪材料（21）への引張力の付与と解除とが制御される。
【００３８】
上記コントローラ（33）は、図５に示すように、空気調和装置（1）の空調運転を制御するものである。コントローラ（33）は、ファン制御部（34）と、切換制御部（35）と、引張解除部（36）とを備えている。
【００３９】
上記ファン制御部（34）は、ファン（30）のモータのＯＮ／ＯＦＦ、および回転方向を制御する。
【００４０】
上記切換制御部（35）は、アクチュエータ（22）による熱歪材料（21）の引張力の付与と解除を切り換える制御をするものである。
【００４１】
上記引張解除部（36）は、アクチュエータ（22）によって引張力が付与された熱歪材料（21）の引張力を解除するものである。具体的には、引張解除部（36）は、空気調和装置（1）の空調運転が停止された場合に、引張力が付与された状態の熱歪材料（21）の引張力を解除するようアクチュエータ（22）を制御する。
【００４２】
尚、冷却加熱モジュール（20）とコントローラ（33）とにより冷却加熱ユニット（5）が構成されている。
【００４３】
また、ケーシング（10）とその内部に設けられた機能部品により室内ユニット（U）が構成されている。
【００４４】
−引張力付与動作−
上記切換制御部（35）は、アクチュエータ（22）を制御して、熱歪材料（21）への引張力の付与と解除を制御するものである。切換制御部（35）は、図６（Ａ〜Ｃ）において、アクチュエータ（22）における熱歪材料（21）に付与する引張力の大きさを変化させることにより該熱歪材料（21）の発熱量を調整し、冷却加熱能力を調整するように構成されている。
【００４５】
また、上記切換制御部（35）は、図７（Ａ〜Ｃ）において、各熱歪材料（21）の全体のうち、引張力を付与する熱歪材料（21）の割合を変化させることにより該熱歪材料（21）の発熱量を調整し、冷却加熱能力を調整するようにしてもよい。
【００４６】
さらに、上記切換制御部（35）は、上記冷却動作と加熱動作を繰り返す時間間隔を変化させることにより上記熱歪材料（21）の発熱量を調整し、冷却加熱能力を調整するように構成してもよい。
【００４７】
−運転動作−
この空気調和装置（1）では冷房運転のみが行われる。
【００４８】
具体的には、図１（Ａ）の冷却動作においては、それまで加熱されていた冷却加熱モジュール（20）への引張力が解除される。そうすると、熱歪材料（21）が冷却され、冷却加熱モジュール（20）が空気（室内空気（RA））から吸熱する。したがって、図１（Ａ）に示すように、ケーシング（10）内に導入された室内空気（RA）が冷却され、その空気が供給空気（SA）として室内に戻されて室内が冷房される。
【００４９】
図１（Ｂ）の加熱動作時は、ファン（30）の回転方向が切り換えられ、室外空気（OA）がケーシング（10）に取り込まれるとともに冷却加熱モジュール（20）で処理されてから排出空気（EA）として室外へ放出される。このとき、冷却加熱モジュール（20）の熱歪材料（21）に引張力が付与される。そうすると、熱歪材料（21）が加熱され、冷却加熱モジュール（20）が放熱する。したがって、この加熱動作のときには、冷却加熱モジュール（20）を通って加熱された空気が室外に排出される。
【００５０】
本実施形態１では、図１（Ａ）の冷却動作と図１（Ｂ）の加熱動作を繰り返し行うことにより、冷房運転が間欠的に行われる（図８および図９を参照）。
【００５１】
ここで、図８に示すように、冷却動作中にコントローラ（33）に対して空気調和装置（1）の空調運転の停止指令が入力されると、コントローラ（33）は、冷却加熱モジュール（20）への引張力の解除が完了するまで冷却動作を継続する。そして、冷却加熱モジュール（20）への引張力の解除が完了すると、空気調和装置（1）の空調運転が停止し、ファン（30）も停止する。引張解除部（36）は、冷却加熱モジュール（20）の引張力の解除が完了した後は、その解除状態を維持する。
【００５２】
また、図９に示すように、加熱動作中にコントローラ（33）に対して空気調和装置（1）の空調運転の停止指令が入力されると、コントローラ（33）は、冷却加熱モジュール（20）への引張力の付与が完了するまで加熱動作を継続する。そして、冷却加熱モジュール（20）への引張力の付与が完了すると、空気調和装置（1）の空調運転が停止し、ファン（30）も停止する。そして、引張解除部（36）は、冷却加熱モジュール（20）への引張力を解除する。引張解除部（36）は、冷却加熱モジュール（20）の引張力の解除が完了した後は、その解除状態を維持する。
【００５３】
−実施形態１の効果−
本実施形態１によれば、対象物への冷却又は加熱が停止したら熱歪材料（21）の引張力を解除したため、熱歪材料（21）が発熱又は吸熱しない場合に該熱歪材料（21）に引張力が付与され続けるのを防止することができる。これにより、長期間の間、熱歪材料（21）に引張力が付与され続けるのを防ぐことができる。この結果、熱歪材料（21）が疲労して劣化するのを確実に防止することができる。
【００５４】
また、ファン（30）の停止後に熱歪材料（21）への引張力を解除したため、引張力が解除された熱歪材料（21）にファン（30）によって空気が送られ続けるのを防止することができる。このため、熱歪材料（21）が吸熱又は発熱して冷却又は加熱された空気が送られるのを防止することができる。
【００５５】
（変形例１）
図１０に示す変形例１は、２つの室内ユニット（U1，U2）を空調対象の室内（3）に設置するように構成したものである。図１０では、部屋の対向する壁面の一方（図１０の右側の壁面）に第１室内ユニット（U1）が設置され、壁面の他方（図１０の左側の壁面）に第２室内ユニット（U2）が設置されている。各室内ユニット（U1，U2）の構成は図１の空気調和装置（1）の室内ユニット（U）と同じであるため、各室内ユニット（U1，U2）の構成については説明を省略する。なお、室内ユニット（U1，U2）には、それぞれ空気通路（P1，P2）が形成されている。
【００５６】
図１０（Ａ）は、第１室内ユニット（U1）で冷却動作を行い、第２室内ユニット（U2）で加熱動作を行う状態を示している。第１室内ユニット（U1）では、冷却加熱モジュール（20）の熱歪材料（21）への引張力が解除される。したがって、第１室内ユニット（U1）の冷却加熱モジュール（20）が吸熱し、ケーシング（10）に取り込まれた室内空気（RA）が冷却される。そして、冷却された空気が供給空気（SA）として室内（3）へ供給される。
【００５７】
一方、第２室内ユニット（U2）では、室外空気（OA）をケーシング（10）に取り入れて処理した後に排出する方向へファン（30）が回転し、同時に冷却加熱モジュール（20）の熱歪材料（21）に引張力が付与される。したがって、冷却加熱モジュール（20）の熱を室外空気（OA）が奪い、排出空気（EA）として室外へ放出される。
【００５８】
図１０（Ｂ）は、第２室内ユニット（U2）で冷却動作を行い、第１室内ユニット（U1）で加熱動作を行う状態を示している。第２室内ユニット（U2）では、冷却加熱モジュール（20）の熱歪材料（21）への引張力が解除される。したがって、第２室内ユニット（U2）の冷却加熱モジュール（20）が吸熱し、ケーシング（10）に取り込まれた室内空気（RA）が冷却される。そして、冷却された空気が供給空気（SA）として室内へ供給される。
【００５９】
一方、第１室内ユニット（U1）では、室外空気（OA）をケーシング（10）に取り入れて処理した後に排出する方向へファン（30）が回転し、同時に冷却加熱モジュール（20）の熱歪材料（21）に引張力が付与される。したがって、冷却加熱モジュール（20）の熱を室外空気（OA）が奪い、排出空気（EA）として室外へ放出される。
【００６０】
このように、実施形態１の変形例１によれば、いずれか一方の室内ユニット（U1，U2）で空気を冷却して、その空気を室内（3）へ供給するときに、他方の室内ユニット（U2，U1）では室外へ熱を排出する図１０（Ａ）の運転と図１０（Ｂ）の運転を交互に切り換えることにより、冷房運転を連続して行うことができる（図１１を参照）。
【００６１】
ここで、図１１に示すように、例えば、第１室内ユニット（U1）の冷却動作中にコントローラ（33）に対して空気調和装置（1）の空調運転の停止指令が入力されると、コントローラ（33）は、第１室内ユニット（U1）の冷却加熱モジュール（20）への引張力の解除が完了するまで冷却動作を継続する。そして、第１室内ユニット（U1）の冷却加熱モジュール（20）への引張力の解除が完了すると、空気調和装置（1）の空調運転が停止し、ファン（30）も停止する。引張解除部（36）は、冷却加熱モジュール（20）の引張力の解除が完了した後は、その解除状態を維持する。
【００６２】
また、同じく図１１に示すように、第２室内ユニット（U2）の加熱動作中にコントローラ（33）に対して空気調和装置（1）の空調運転の停止指令が入力されると、コントローラ（33）は、第２室内ユニット（U2）の冷却加熱モジュール（20）への引張力の付与が完了するまで加熱動作を継続する。そして、第２室内ユニット（U2）の冷却加熱モジュール（20）への引張力の付与が完了すると、空気調和装置（1）の空調運転が停止し、ファン（30）も停止する。そして、引張解除部（36）は、第２室内ユニット（U2）の冷却加熱モジュール（20）への引張力を解除する。引張解除部（36）は、第２室内ユニット（U2）の冷却加熱モジュール（20）の引張力の解除が完了した後は、その解除状態を維持する。
【００６３】
（変形例２）
図１２に示す変形例２は、２つの室内ユニット（U1，U2）を空調対象の室内（3）に設置するように構成している点は図１０の装置（1）と共通している。図１０の変形例１と異なる点は、第１室内ユニット（U1）と第２室内ユニット（U2）の両方を、図の右側の壁面に設置した点である。各室内ユニット（U1，U2）の構成は、図１及び図１０の空気調和装置（1）と同じである。
【００６４】
図１２（Ａ）は、第１室内ユニット（U1）で冷却動作を行い、第２室内ユニット（U2）で加熱動作を行う状態を示している。第１室内ユニット（U1）では、冷却加熱モジュール（20）の熱歪材料（21）への引張力が解除される。したがって、第１室内ユニット（U1）の冷却加熱モジュール（20）が吸熱し、ケーシング（10）内に取り込まれた室内空気（RA）が冷却される。そして、冷却された空気が供給空気（SA）として室内（3）へ供給される。
【００６５】
一方、第２室内ユニット（U2）では、室外空気（OA）をケーシング（10）に取り入れて処理した後に排出する方向へファン（30）が回転し、同時に冷却加熱モジュール（20）の熱歪材料（21）に引張力が付与される。したがって、冷却加熱モジュール（20）の熱を室外空気（OA）が奪い、排出空気（EA）として室外へ放出される。
【００６６】
図１２（Ｂ）は、第２室内ユニット（U2）で冷却動作を行い、第１室内ユニット（U1）で加熱動作を行う状態を示している。第２室内ユニット（U2）では、冷却加熱モジュール（20）の熱歪材料（21）への引張力が解除される。したがって、第２室内ユニット（U2）の冷却加熱モジュール（20）が吸熱し、ケーシング（10）内に取り込まれた室内空気（RA）が冷却される。そして、冷却された空気が供給空気（SA）として室内（3）へ供給される。
【００６７】
一方、第１室内ユニット（U1）では、室外空気（OA）をケーシング（10）に取り入れて処理した後に排出する方向へファン（30）が回転し、同時に冷却加熱モジュール（20）の熱歪材料（21）に引張力が付与される。したがって、冷却加熱モジュール（20）の熱を室外空気（OA）が奪い、排出空気（EA）として室外へ放出される。
【００６８】
このように、実施形態１の変形例２によれば、いずれか一方の室内ユニット（U1，U2）で空気を冷却して、その空気を室内（3）へ供給するときに、他方の室内ユニット（U2，U1）では室外へ熱を排出する図１２（Ａ）の運転と図１２（Ｂ）の運転を交互に切り換えることにより、冷房運転を連続して行うことができる。
【００６９】
（変形例３）
図１３に示す変形例３は、空気調和装置（1）のケーシング（10）内に２つの冷却加熱モジュール（20）を設け、一方の冷却加熱モジュール（20）（第１冷却加熱モジュール（20a））を通過した空気を室内（3）に供給して他方の冷却加熱モジュール（20）（第２冷却加熱モジュール（20b））を通過した空気を室外へ放出する第１の運転動作と、第２冷却加熱モジュール（20b）を通過した空気を室内（3）に供給して第１冷却加熱モジュール（20a）を通過した空気を室外へ放出する第２の運転動作とを切り換えるように構成したものである。
【００７０】
空気調和装置（1）は、具体的には図１４，１５に示すように構成されている。この空気調和装置（1）は、２つの冷却加熱モジュール（20a，20b）と２つのファン（30a，30b）を１つのケーシング（10）内に収納した一体型の構成で、天井裏に設置されている。図１４は、第１冷却加熱モジュール（20a）を冷却側にして第２冷却加熱モジュール（20b）を加熱側にする第１の運転動作を示し、図１５は、第２冷却加熱モジュール（20b）を冷却側にして第１冷却加熱モジュール（20a）を加熱側にする第２の運転動作を示している。また、図１４及び図１５において、それぞれ、（Ａ）図は平面構造図（装置を平面から見て内部構造を示す図）、（Ｂ）図は左側面構造図、（Ｃ）図は右側面構造図である。
【００７１】
この空気調和装置（1）のケーシング（10）は、四角い箱形に形成されている。このケーシング（10）の１つの側壁面には、室内空気（RA）をケーシング（10）内に取り入れる第１吸込口（11）と、室外空気（OA）をケーシング（10）内に取り入れる第２吸込口（12）が設けられている。また、上記各吸込口（11，12）が設けられている側壁面の左右の側壁面には、供給空気（SA）を室内（3）に供給する第１吹出口（13）と、排出空気（EA）を室外に排出する第２吹出口（14）が設けられている。これらの第１吸込口（11）、第２吸込口（12）、第１吹出口（13）及び第２吹出口（14）には、それぞれ図１３に模式的に矢印で示すダクト（4a，4b，4c，4d）が接続されている。
【００７２】
上記ケーシング（10）内は、上記冷却加熱モジュール（20）が配置された冷却加熱室（C1，C2）と、ファン（30a，30b）が配置されたファン室（C3，C4）が設けられている。冷却加熱室（C1，C2）は、図１４，図１５においてケーシング（10）内の左右に隣り合って位置する第１冷却加熱室（C1）と第２冷却加熱室（C2）とから構成されている。上記ファン室（C3，C4）は、同じくケーシング（10）の左右に隣り合って位置する第１ファン室（C3）と第２ファン室（C4）とから構成されている。第１ファン室（C3）には給気ファン（30a）が配置され、第２ファン室（C4）には排気ファン（30b）が配置されている。
【００７３】
また、上記各吸込口（11，12）と冷却加熱室（C1，C2）の間には入口側通風室（C5，C6）が形成されている。入口側通風室（C5，C6）は、上記ケーシング（10）の上下２段に配置された第１入口側通風室（C5）と第２入口側通風室（C6）とから構成されている。第１入口側通風室（C5）には第１吸込口（11）が設けられ、第２入口側通風室（C6）には第２吸込口（12）が設けられている。各入口側通風室（C5，C6）と各冷却加熱室（C1，C2）との間には、開閉可能なダンパ（D1，D2，D3，D4）が１枚ずつ、合計４枚設けられている。
【００７４】
上記冷却加熱室（C1，C2）と上記ファン室（C3，C4）との間には出口側通風室（C7，C8）が形成されている。出口側通風室（C7，C8）は、上記ケーシング（10）の上下２段に配置された第１出口側通風室（C7）と第２出口側通風室（C8）とから構成されている。各冷却加熱室（C1，C2）と各出口側通風室（C7，C8）との間には、開閉可能なダンパ（D5，D6，D7，D8）が１枚ずつ、合計４枚設けられている。
【００７５】
各出口側通風室（C7，C8）は、上記各ファン室（C3，C4）と連通している。上記第１吹出口（13）はケーシング（10）の第１ファン室（C3）側に設けられ、上記第２吹出口（14）はケーシング（10）の第２ファン室（C4）側に設けられている。
【００７６】
また、本変形例３に係るコントローラ（33）は、図１６に示すように、上記実施形態１のコントローラ（33）の構成に加えて、ダンパ制御部（37）を備えている。ダンパ制御部（37）は、第１〜第８ダンパ（D1〜D8）の切り換えを行うものである。
【００７７】
ダンパ制御部（37）は、第１の運転動作のとき、第１ダンパ（D1）、第４ダンパ（D4）、第５ダンパ（D5）及び第８ダンパ（D8）を開き、第２ダンパ（D2）、第３ダンパ（D3）、第６ダンパ（D6）及び第７ダンパ（D7）を閉じる。また、第２の運転動作のとき、第２ダンパ（D2）、第３ダンパ（D3）、第６ダンパ（D6）及び第７ダンパ（D7）を開き、第１ダンパ（D1）、第４ダンパ（D4）、第５ダンパ（D5）及び第８ダンパ（D8）を閉じる。
【００７８】
このようにダンパ（D1〜D8）の開閉状態を制御することにより、第１の運転動作においては、図１４に示すように、第１吸込口（11）からケーシング（10）内に導入された室内空気（RA）が、第１ダンパ（D1）、第１冷却加熱モジュール（20a）及び第５ダンパ（D5）を通って第１吹出口（13）から室内（3）へ供給されるとともに、第２吸込口（12）からケーシング（10）内に導入された室内空気が、第４ダンパ（D4）、第２冷却加熱モジュール（20b）及び第８ダンパ（D8）を通って第２吹出口（14）から室外へ排出される。また、第２の運転動作においては、図１５に示すように、第１吸込口（11）からケーシング（10）内に導入された室内空気（RA）が、第３ダンパ（D3）、第２冷却加熱モジュール（20b）及び第７ダンパ（D7）を通って第１吹出口（13）から室内（3）へ供給されるとともに、第２吹出口（14）からケーシング（10）内に導入された室外空気（OA）が、第２ダンパ（D2）、第１冷却加熱モジュール（20a）及び第６ダンパ（D6）を通って第２吹出口（14）から室外へ排出される。
【００７９】
そして、この実施形態１の変形例３では、ダンパの開閉状態を切り換えることにより、図１４の第１運転動作と図１５の第２運転動作が交互に繰り返される。
【００８０】
この空気調和装置（1）は冷房専用機として構成されているので、室内（3）へ供給される空気が通過する冷却加熱モジュール（20）は、第１冷却加熱モジュール（20a）と第２冷却加熱モジュール（20b）のどちらに切り換わっても、冷却動作が行われる方の冷却加熱モジュール（20）である。したがって、室内（3）へは、冷却された空気が連続して供給される。また、室外へ排出される空気が通過する冷却加熱モジュール（20）は、第２冷却加熱モジュール（20b）と第１冷却加熱モジュール（20a）のどちらに切り換わっても加熱動作が行われる方の冷却加熱モジュール（20）である。したがって、室外へ放出される空気は冷却加熱モジュール（20）の熱を奪った空気である。
【００８１】
このように、実施形態１の変形例３によれば、いずれか一方の冷却加熱モジュール（20a，20b）で空気を冷却して、その空気を室内（3）へ供給するときに、他方の冷却加熱モジュール（20b，20a）から排出空気（EA）が熱を奪う図１４の運転と図１５の運転を交互に切り換えることにより、冷房運転を連続して行うことができる。
【００８２】
《発明の実施形態２》
本発明の実施形態２について説明する。
【００８３】
図１７に示す実施形態２は、図１に示す実施形態１の空気調和装置（1）を暖房専用機として構成した例である。
【００８４】
この空気調和装置（1）は、図１の空気調和装置（1）と同様に、ケーシング（10）と、ケーシング（10）内に収納された冷却加熱モジュール（20）と、冷却加熱モジュール（20）に空気を流すファン（30）と、冷却加熱モジュール（20）に引張力を付与する切換制御部（35）とを備え、ケーシング（10）とその内部に設けられた機能部品により室内ユニット（U）が構成されている。また、ケーシング（10）内には、該ケーシング（10）内に導入された空気を冷却加熱モジュール（20）に通すための空気通路（P）が形成されている。
【００８５】
この実施形態２の空気調和装置（1）は、上記冷却加熱モジュール（20）で加熱処理した空気を空気通路（P）から室内（3）に導入することにより、空調運転の一種である暖房運転を行うことができるようになっている点が図１の空気調和装置（1）と異なっている。
【００８６】
この空気調和装置（1）では、図１７（Ａ）において、それまで冷却されていた冷却加熱モジュール（20）の熱歪材料（21）に引張力が付与される。そうすると、熱歪材料（21）が加熱され、冷却加熱モジュール（20）が放熱する。したがって、冷却加熱モジュール（20）を通過して加熱された空気が供給空気（SA）として室内（3）に供給される。
【００８７】
一方、図１７（Ｂ）においては、室外空気（OA）をケーシング（10）に取り入れて処理した後に排出する方向へファン（30）が回転し、同時に冷却加熱モジュール（20）の熱歪材料（21）への引張力が解除される。したがって、冷却加熱モジュール（20）に室外空気（OA）が熱を与え、排出空気（EA）として室外へ放出される。
【００８８】
このように、本実施形態２によれば、図１７（Ａ）の加熱動作と図１７（Ｂ）の冷却動作を交互に繰り返すことにより、間欠暖房運転を行うことができる。
【００８９】
ここで、図１８に示すように、冷却動作中にコントローラ（33）に対して空気調和装置（1）の空調運転の停止指令が入力されると、コントローラ（33）は、冷却加熱モジュール（20）への引張力の解除が完了するまで冷却動作を継続する。そして、冷却加熱モジュール（20）への引張力の解除が完了すると、空気調和装置（1）の空調運転が停止し、ファン（30）も停止する。引張解除部（36）は、冷却加熱モジュール（20）の引張力の解除が完了した後は、その解除状態を維持する。
【００９０】
また、図１９に示すように、加熱動作中にコントローラ（33）に対して空気調和装置（1）の空調運転の停止指令が入力されると、コントローラ（33）は、冷却加熱モジュール（20）への引張力の付与が完了するまで加熱動作を継続する。そして、冷却加熱モジュール（20）への引張力の付与が完了すると、空気調和装置（1）の空調運転が停止し、ファン（30）も停止する。そして、引張解除部（36）は、冷却加熱モジュール（20）への引張力を解除する。引張解除部（36）は、冷却加熱モジュール（20）の引張力の解除が完了した後は、その解除状態を維持する。
【００９１】
（変形例１）
図２０に示す実施形態２の変形例１は、図１０の空気調和装置（1）を暖房専用機として構成した例である。部屋の対向する壁面の一方（図の右側の壁面）に第１室内ユニット（U1）が設置され、壁面の他方（図の左側の壁面）に第２室内ユニット（U2）が設置されている構成は、図１０の空気調和装置（1）と同じである。また、各室内ユニット（U1，U2）の構成は図１７の実施形態２と同じである。
【００９２】
図２０（Ａ）は、第１室内ユニット（U1）で加熱動作を行い、第２室内ユニット（U2）で冷却動作を行う状態を示している。第１室内ユニット（U1）では、冷却加熱モジュール（20）の熱歪材料（21）に引張力が付与される。したがって、第１室内ユニット（U1）の冷却加熱モジュール（20）が放熱し、ケーシング（10）に取り込まれた室内空気（RA）が加熱される。そして、加熱された空気が供給空気（SA）として室内（3）へ供給される。
【００９３】
一方、第２室内ユニット（U2）では、ファン制御部（34）によって室外空気（OA）をケーシング（10）に取り入れて処理した後に排出する方向へファン（30）が回転し、同時に冷却加熱モジュール（20）の熱歪材料（21）への引張力が解除される。したがって、室外空気（OA）が冷却加熱モジュール（20）に熱を奪われ、排出空気（EA）として室外に放出される。
【００９４】
図２０（Ｂ）は、第２室内ユニット（U2）で加熱動作を行い、第１室内ユニット（U1）で冷却動作を行う状態を示している。第２室内ユニット（U2）では、冷却加熱モジュール（20）の熱歪材料（21）に引張力が付与される。したがって、第２室内ユニット（U2）の冷却加熱モジュール（20）が放熱し、ケーシング（10）に取り込まれた室内空気（RA）が加熱される。そして、加熱された空気が供給空気（SA）として室内（3）へ供給される。
【００９５】
一方、第１室内ユニット（U1）では、ファン制御部（34）によって室外空気（OA）をケーシング（10）に取り入れて処理した後に排出する方向へファン（30）が回転し、同時に冷却加熱モジュール（20）の熱歪材料（21）への引張力が解除される。したがって、室外空気（OA）が冷却加熱モジュール（20）に熱を奪われ、排出空気（EA）として室外に放出される。
【００９６】
このように、この実施形態２の変形例１によれば、いずれか一方の室内ユニット（U1，U2）で空気を加熱して、その空気を室内（3）へ供給するときに、他方の室内ユニット（U2，U1）では冷却動作を行う図２０（Ａ）の運転と図２０（Ｂ）の運転を交互に切り換えることにより、暖房運転を連続して行うことができる。
【００９７】
ここで、図２１に示すように、例えば、第１室内ユニット（U1）の冷却動作中にコントローラ（33）に対して空気調和装置（1）の空調運転の停止指令が入力されると、コントローラ（33）は、第１室内ユニット（U1）の冷却加熱モジュール（20）への引張力の解除が完了するまで冷却動作を継続する。そして、第１室内ユニット（U1）の冷却加熱モジュール（20）への引張力の解除が完了すると、空気調和装置（1）の空調運転が停止し、ファン（30）も停止する。引張解除部（36）は、冷却加熱モジュール（20）の引張力の解除が完了した後は、その解除状態を維持する。
【００９８】
また、同じく図２１に示すように、第２室内ユニット（U2）の加熱動作中にコントローラ（33）に対して空気調和装置（1）の空調運転の停止指令が入力されると、コントローラ（33）は、第２室内ユニット（U2）の冷却加熱モジュール（20）への引張力の付与が完了するまで加熱動作を継続する。そして、第２室内ユニット（U2）の冷却加熱モジュール（20）への引張力の付与が完了すると、空気調和装置（1）の空調運転が停止し、ファン（30）も停止する。そして、引張解除部（36）は、第２室内ユニット（U2）の冷却加熱モジュール（20）への引張力を解除する。引張解除部（36）は、第２室内ユニット（U2）の冷却加熱モジュール（20）の引張力の解除が完了した後は、その解除状態を維持する。
【００９９】
（変形例２）
図２２に示す実施形態２の変形例２は、２つの室内ユニット（U1，U2）を空調対象の室内（3）に設置するように構成したものであり、図１２に示す実施形態１の変形例２の空気調和装置（1）を暖房専用機として構成した例である。この変形例では、第１室内ユニット（U1）と第２室内ユニット（U2）の両方が、図の右側の壁面に設置されている。
【０１００】
図２２（Ａ）は、第１室内ユニット（U1）で加熱動作を行い、第２室内ユニット（U2）で冷却動作を行う状態を示している。第１室内ユニット（U1）では、冷却加熱モジュール（20）の熱歪材料（21）に引張力が付与される。したがって、第１室内ユニット（U1）の冷却加熱モジュール（20）が放熱し、ケーシング（10）に取り込まれた室内空気（RA）が加熱される。そして、加熱された空気が供給空気（SA）として室内（3）へ供給される。
【０１０１】
一方、第２室内ユニット（U2）では、室外空気（OA）をケーシング（10）に取り入れて処理した後に排出する方向へファン（30）が回転し、同時に冷却加熱モジュール（20）の熱歪材料（21）への引張力が解除される。したがって、室外空気（OA）が冷却加熱モジュール（20）に熱を奪われ、排出空気（EA）として室外に放出される。
【０１０２】
図２２（Ｂ）は、第２室内ユニット（U2）で加熱動作を行い、第１室内ユニット（U1）で冷却動作を行う状態を示している。第２室内ユニット（U2）では、冷却加熱モジュール（20）の熱歪材料（21）に引張力が付与される。したがって、第２室内ユニット（U2）の冷却加熱モジュール（20）が放熱し、ケーシング（10）に取り込まれた室内空気（RA）が加熱される。そして、加熱された空気が供給空気（SA）として室内（3）へ供給される。
【０１０３】
一方、第１室内ユニット（U1）では、室外空気（OA）をケーシング（10）に取り入れて処理した後に排出する方向へファン（30）が回転し、同時に冷却加熱モジュール（20）の熱歪材料（21）への引張力が解除される。したがって、室外空気（OA）が冷却加熱モジュール（20）に熱を奪われ、排出空気（EA）として室外に放出される。
【０１０４】
このように、この実施形態２の変形例２によれば、いずれか一方の室内ユニット（U1，U2）で空気を加熱して、その空気を室内（3）へ供給するときに、他方の室内ユニット（U2，U1）では冷却動作を行う図２２（Ａ）の運転と図２２（Ｂ）の運転を交互に切り換えることにより、暖房運転を連続して行うことができる。
【０１０５】
（変形例３）
図２３に示す実施形態２の変形例３は、図１３〜図１５に示す実施形態１の変形例３の空気調和装置（1）を暖房専用機として構成した例である。この空気調和装置（1）は、具体的には、図１３〜図１５と同様に、ケーシング（10）内に２つの冷却加熱モジュール（20a，20b）を設け、一方の冷却加熱モジュール（20）（第１冷却加熱モジュール（20a））を通過した空気を室内（3）に供給して他方の冷却加熱モジュール（20）（第２冷却加熱モジュール（20b））を通過した空気を室外へ放出する第１の運転動作と、第２冷却加熱モジュール（20b）を通過した空気を室内（3）に供給して第１冷却加熱モジュール（20a）を通過した空気を室外へ放出する第２の運転動作とを切り換えるように構成されている。
【０１０６】
空気調和装置（1）は、具体的には図２４，２５に示すように構成されている。この空気調和装置（1）は、２つの冷却加熱モジュール（20a，20b）と２つのファン（30a，30b）を１つのケーシング（10）内に収納した一体型の構成で、天井裏に設置されている。図２４は、第１冷却加熱モジュール（20a）を加熱側にして第２冷却加熱モジュール（20b）を冷却側にする第１の運転動作を示し、図２５は、第２冷却加熱モジュール（20b）を加熱側にして第１冷却加熱モジュール（20a）を冷却側にする第２の運転動作を示している。また、図２４及び図２５において、それぞれ、（Ａ）図は平面構造図（装置を平面から見て内部構造を示す図）、（Ｂ）図は左側面構造図、（Ｃ）図は右側面構造図である。
【０１０７】
この空気調和装置（1）のケーシング（10）は、四角い箱形に形成されている。このケーシング（10）の１つの側壁面には、室内空気（RA）をケーシング（10）内に取り入れる第１吸込口（11）と、室外空気（OA）をケーシング（10）内に取り入れる第２吸込口（12）が設けられている。また、上記各吸込口（11，12）が設けられている側壁面の左右の側壁面には、供給空気（SA）を室内（3）に供給する第１吹出口（13）と、排出空気（EA）を室外に排出する第２吹出口（14）が設けられている。これらの第１吸込口（11）、第２吸込口（12）、第１吹出口（13）及び第２吹出口（14）には、それぞれ図２３に模式的に矢印で示すダクト（4a，4b，4c，4d）が接続されている。
【０１０８】
上記ケーシング（10）内は、上記冷却加熱モジュール（20）が配置された冷却加熱室（C1，C2）と、ファン（30a，30b）が配置されたファン室（C3，C4）が設けられている。冷却加熱室（C1，C2）は、図２４，図２５においてケーシング（10）内の左右に隣り合って位置する第１冷却加熱室（C1）と第２冷却加熱室（C2）とから構成されている。上記ファン室（C3，C4）は、同じくケーシング（10）の左右に隣り合って位置する第１ファン室（C3）と第２ファン室（C4）とから構成されている。第１ファン室（C3）には給気ファン（30a）が配置され、第２ファン室（C4）には排気ファン（30b）が配置されている。
【０１０９】
また、上記各吸込口（11，12）と冷却加熱室（C1，C2）の間には入口側通風室（C5，C6）が形成されている。入口側通風室（C5，C6）は、上記ケーシング（10）の上下２段に配置された第１入口側通風室（C5）と第２入口側通風室（C6）とから構成されている。第１入口側通風室（C5）には第１吸込口（11）が設けられ、第２入口側通風室（C6）には第２吸込口（12）が設けられている。各入口側通風室（C5，C6）と各冷却加熱室（C1，C2）との間には、開閉可能なダンパ（D1，D2，D3，D4）が１枚ずつ、合計４枚設けられている。
【０１１０】
上記冷却加熱室（C1，C2）と上記ファン室（C3，C4）との間には出口側通風室（C7，C8）が形成されている。出口側通風室（C7，C8）は、上記ケーシング（10）の上下２段に配置された第１出口側通風室（C7）と第２出口側通風室（C8）とから構成されている。各冷却加熱室（C1，C2）と各出口側通風室（C7，C8）との間には、開閉可能なダンパ（D5，D6，D7，D8）が１枚ずつ、合計４枚設けられている。
【０１１１】
各出口側通風室（C7，C8）は、上記各ファン室（C3，C4）と連通している。上記第１吹出口（13）はケーシング（10）の第１ファン室（C3）側に設けられ、上記第２吹出口（14）はケーシング（10）の第２ファン室（C4）側に設けられている。
【０１１２】
以上の構成においては、第１の運転動作のとき、ダンパ制御部（37）によって、第１ダンパ（D1）、第４ダンパ（D4）、第５ダンパ（D5）及び第８ダンパ（D8）が開かれ、第２ダンパ（D2）、第３ダンパ（D3）、第６ダンパ（D6）及び第７ダンパ（D7）は閉じられる。また、第２の運転動作のとき、ダンパ制御部（37）によって、第２ダンパ（D2）、第３ダンパ（D3）、第６ダンパ（D6）及び第７ダンパ（D7）が開かれ、第１ダンパ（D1）、第４ダンパ（D4）、第５ダンパ（D5）及び第８ダンパ（D8）は閉じられる。
【０１１３】
このようにダンパ（D1〜D8）の開閉状態を制御することにより、第１の運転動作においては、図２４に示すように、第１吸込口（11）からケーシング（10）内に導入された室内空気（RA）が、第１ダンパ（D1）、第１冷却加熱モジュール（20a）及び第５ダンパ（D5）を通って第１吹出口（13）から室内（3）へ供給されるとともに、第２吸込口（12）からケーシング（10）内に導入された室外空気（OA）が、第４ダンパ（D4）、第２冷却加熱モジュール（20b）及び第８ダンパ（D8）を通って第２吹出口（14）から室外へ排出される。また、第２の運転動作においては、図２５に示すように、第１吸込口（11）からケーシング（10）内に導入された室内空気（RA）が、第３ダンパ（D3）、第２冷却加熱モジュール（20b）及び第７ダンパ（D7）を通って第１吹出口（13）から室内（3）へ供給されるとともに、第２吹出口（14）からケーシング（10）内に導入された室外空気（OA）が、第２ダンパ（D2）、第１冷却加熱モジュール（20a）及び第６ダンパ（D6）を通って第２吹出口（14）から室外へ排出される。
【０１１４】
そして、この実施形態２の変形例３では、ダンパの開閉状態を切り換えることにより、図２４の第１運転動作と図２５の第２運転動作が交互に繰り返される。
【０１１５】
この空気調和装置（1）は暖房専用機として構成されているので、室内（3）へ供給される空気が通過する冷却加熱モジュール（20）は、第１冷却加熱モジュール（20a）と第２冷却加熱モジュール（20b）のどちらに切り換わっても、加熱動作が行われる方の冷却加熱モジュール（20）である。したがって、室内（3）へは、加熱された空気が連続して供給される。また、室外へ排出される空気が通過する冷却加熱モジュール（20）は、第２冷却加熱モジュール（20b）と第１冷却加熱モジュール（20a）のどちらに切り換わっても冷却動作が行われる方の冷却加熱モジュール（20）である。したがって、室外へ放出される空気は、冷却加熱モジュール（20）に熱を奪われた空気である。
【０１１６】
このように、実施形態２の変形例３によれば、いずれか一方の冷却加熱モジュール（20a，20b）で空気を加熱して、その空気を室内（3）へ供給するときに、他方の冷却加熱モジュール（20b，20a）に熱を与える図２４の運転と図２５の運転を交互に切り換えることにより、暖房運転を連続して行うことができる。
【０１１７】
《発明の実施形態３》
本発明の実施形態３について図面に基づいて詳細に説明する。
【０１１８】
図２６に示す実施形態３は、図１２に示す実施形態１の変形例２に係る空気調和装置（1）が暖房専用機であるのに対して、空気の加湿もできるように構成した例である。この空気調和装置（1）も図１２の例と同様に２つの室内ユニット（U1，U2）を備え、第１室内ユニット（U1）と第２室内ユニット（U2）の両方が図の一つの壁面（右側の壁面）に設置されている。
【０１１９】
この空気調和装置（1）では、第１室内ユニット（U1）と第２室内ユニット（U2）に、上記冷却加熱モジュール（20）に加えて、空気に対する水分の放湿と吸湿を行うように構成した上記調湿モジュール（24）が設けられている。上述したように、この調湿モジュール（24）は、図２（Ｂ）において、熱歪材料（21）と、この熱歪材料（21）に引張力を付与するアクチュエータ（22）と、その表面に形成された吸着層（23）とを有している。調湿モジュール（24）では、引張力を付与すると空気を加湿することができ、引張力を解除すると空気を減湿することができる。
【０１２０】
この実施形態３では、第１室内ユニット（U1）と第２室内ユニット（U2）のいずれについても、空気は冷却加熱モジュール（20）と調湿モジュール（24）を通過する。したがって、この空気調和装置（1）では、空気の吸湿処理及び放湿処理を行うことに加えて、空気の冷却処理と加熱処理も行うことができる。
【０１２１】
図２６（Ａ）は、第１室内ユニット（U1）で冷却吸湿動作を行い、第２室内ユニット（U2）で加熱放湿動作を行う状態を示している。第１室内ユニット（U1）では、冷却加熱モジュール（20）と調湿モジュール（24）の熱歪材料（21）への引張力が解除される。したがって、ケーシング（10）内に取り込まれた室内空気（RA）が減湿されるとともに冷却される。そして、減湿されるとともに冷却された空気が供給空気（SA）として室内（3）へ供給される。
【０１２２】
一方、第２室内ユニット（U2）では、室外空気（OA）をケーシング（10）に取り入れて処理した後に排出する方向へファン（30）が回転し、同時に冷却加熱モジュール（20）と調湿モジュール（24）の熱歪材料（21）に引張力が付与される。したがって、冷却加熱モジュール（20）と調湿モジュール（24）により加熱加湿処理された空気が排出空気（EA）として室外へ放出される。このとき、調湿モジュール（24）の吸着層は水分を放出して再生される。
【０１２３】
図２６（Ｂ）は、第２室内ユニット（U2）で冷却吸湿動作を行い、第１室内ユニット（U1）で加熱放湿動作を行う状態を示している。第２室内ユニット（U2）では、冷却加熱モジュール（20）と調湿モジュール（24）の熱歪材料（21）への引張力が解除される。したがって、ケーシング（10）内に取り込まれた室内空気（RA）が減湿されるとともに冷却される。そして、減湿されるとともに冷却された空気が供給空気（SA）として室内（3）へ供給される。
【０１２４】
一方、第１室内ユニット（U1）では、室外空気（OA）をケーシング（10）に取り入れて処理した後に排出する方向へファン（30）が回転し、同時に冷却加熱モジュール（20）と調湿モジュール（24）の熱歪材料（21）に引張力が付与される。したがって、冷却加熱モジュール（20）と調湿モジュール（24）により加熱加湿処理された空気が排出空気（EA）として室外へ放出される。このとき、調湿モジュール（24）の吸着層は水分を放出して再生される。
【０１２５】
このように、実施形態３によれば、いずれか一方の室内ユニット（U1，U2）で空気の冷却と減湿を行って、その空気を室内（3）へ供給するときに、他方の室内ユニット（U2，U1）では加熱処理と放湿処理を行う図２６（Ａ）の運転と図２６（Ｂ）の運転を交互に切り換えることにより、除湿冷房運転を連続して行うことができる。
【０１２６】
尚、この実施形態では、空気の流れに対して冷却加熱モジュール（20）と調湿モジュール（24）を直列に配置して、空気の顕熱処理と潜熱処理を直列で行って室内に供給するようにしているが、冷却加熱モジュール（20）と調湿モジュール（24）を並列に配置して、顕熱処理をした空気と潜熱処理をした空気を混合して室内に供給するようにしてもよい。このように構成してもよいことは、以下の変形例においても同様である。
【０１２７】
（変形例１）
図２７に示す実施形態３の変形例１は、図２６に示した実施形態３に係る空気調和装置（1）が除湿冷房機であるのに対して、加湿暖房機として構成した例である。この変形例においても、第１室内ユニット（U1）と第２室内ユニット（U2）の両方が、図の右側の壁面に設置されている。
【０１２８】
この空気調和装置（1）においても、第１室内ユニット（U1）と第２室内ユニット（U2）に、上記冷却加熱モジュール（20）に加えて、空気に対する水分の放湿と吸湿を行うように構成した上記調湿モジュール（24）が設けられている。
【０１２９】
第１室内ユニット（U1）と第２室内ユニット（U2）は、図２６の実施形態３と同様に構成されている。
【０１３０】
図２７（Ａ）は、第１室内ユニット（U1）で加熱放湿動作を行い、第２室内ユニット（U2）で冷却吸湿動作を行う状態を示している。第１室内ユニット（U1）では、冷却加熱モジュール（20）と調湿モジュール（24）の熱歪材料（21）に引張力が付与される。したがって、ケーシング（10）内に取り込まれた室内空気（RA）が加熱されるとともに加湿され、その空気が供給空気（SA）として室内（3）へ供給される。
【０１３１】
一方、第２室内ユニット（U2）では、室外空気（OA）をケーシング（10）に取り入れて処理した後に排出する方向へファン（30）が回転し、同時に冷却加熱モジュール（20）と調湿モジュール（24）の熱歪材料（21）への引張力が解除される。冷却加熱モジュール（20）での冷却処理と調湿モジュール（24）での吸湿処理の行われた空気が排出空気（EA）として室外に放出される。
【０１３２】
図２７（Ｂ）は、第２室内ユニット（U2）で加熱放湿動作を行い、第１室内ユニット（U1）で冷却吸湿動作を行う状態を示している。第２室内ユニット（U2）では、冷却加熱モジュール（20）と調湿モジュール（24）の熱歪材料（21）に引張力が付与される。したがって、ケーシング（10）内に取り込まれた室内空気（RA）が加熱されるとともに加湿され、その空気が供給空気（SA）として室内（3）へ供給される。
【０１３３】
一方、第１室内ユニット（U1）では、室外空気（OA）をケーシング（10）に取り入れて処理した後に排出する方向へファン（30）が回転し、同時に冷却加熱モジュール（20）と調湿モジュール（24）の熱歪材料（21）への引張力が解除される。冷却加熱モジュール（20）での冷却処理と調湿モジュール（24）での吸湿処理の行われた空気が排出空気（EA）として室外に放出される。
【０１３４】
この実施形態３の変形例１によれば、いずれか一方の室内ユニット（U1，U2）で空気の加湿と加熱を行って、その空気を室内（3）へ供給するときに、他方の室内ユニット（U2，U1）では空気の冷却と吸着層（23）での吸湿を行う図２７（Ａ）の運転と図２７（Ｂ）の運転を交互に切り換えることにより、加湿暖房運転を連続して行うことができる。
【０１３５】
《発明の実施形態４》
次に、本発明の実施形態４について図面に基づいて詳細に説明する。
【０１３６】
この実施形態４の空気調和装置（1）は、図１及び図１７に示す空気調和装置（1）において、冷却加熱モジュール（20）で冷却処理した空気を室内（3）に導入する冷却動作と、冷却加熱モジュール（20）で加熱処理した空気を室内（3）に導入する加熱動作とを切り換え可能に構成したものである。
【０１３７】
例えば、図１の空気調和装置（1）において、ケーシング（10）に取り込まれた室内空気（RA）を処理するときに、図１（Ａ）に示すように冷却加熱モジュール（20）の熱歪材料（21）への引張力を解除する運転と、図１７（Ａ）に示すように冷却加熱モジュール（20）の熱歪材料（21）に引張力を付与する運転とを切り換え可能に構成され、ケーシング（10）に取り込まれた室外空気（OA）を処理するときに、図１（Ｂ）に示すように冷却加熱モジュール（20）に引張力を付与する運転と、図１７（Ｂ）に示すように冷却加熱モジュール（20）への引張力を解除する運転とを切り換え可能に構成される。
【０１３８】
このように構成すれば、１つの冷却加熱モジュール（20）を備えた室内ユニット（U）を有する空気調和装置（1）において、室内（3）を間欠的に冷房する運転と、室内（3）を間欠的に暖房する運転とを切り換えて行うことが可能になる。
【０１３９】
（変形例１）
上記実施形態４の変形例１は、図１０及び図２０の空気調和装置（1）において、引張力の付与状態を切り換えることにより、図１０（Ａ）の運転と図２０（Ａ）の運転とを切り換え可能に構成するとともに、図１０（Ｂ）の運転と図２０（Ｂ）の運転とを切り換え可能に構成したものである。装置の基本的な構成は図１０及び図２０と同様であるため、具体的な説明は省略する。
【０１４０】
この空気調和装置（1）において、図１０（Ａ），（Ｂ）の運転では、ケーシング（10）内に取り込まれた室内空気（RA）が通過する冷却加熱モジュール（20）への引張力が解除され、ケーシング（10）内に取り込まれた室外空気（OA）が通過する冷却加熱モジュール（20）へ引張力が付与される。また、図２０（Ａ），（Ｂ）の運転では、ケーシング（10）内に取り込まれた室内空気（RA）が通過する冷却加熱モジュール（20）に引張力が付与され、ケーシング（10）内に取り込まれた室外空気（OA）が通過する冷却加熱モジュール（20）への引張力が解除される。
【０１４１】
このように構成すれば、２つの室内ユニット（U1，U2）を部屋の対向する壁面に設置した空気調和装置（1）において、室内（3）を連続的に冷房する運転と、室内（3）を連続的に暖房する運転とを切り換えて行うことが可能になる。
【０１４２】
（変形例２）
上記実施形態４の変形例２は、図１２及び図２２の空気調和装置（1）において、引張力の付与状態を切り換えることにより、図１２（Ａ）の運転と図２２（Ａ）の運転とを切り換え可能に構成するとともに、図１２（Ｂ）の運転と図２２（Ｂ）の運転とを切り換え可能に構成したものである。装置の基本的な構成は図１２及び図２２と同様であるため、具体的な説明は省略する。
【０１４３】
この空気調和装置（1）において、図１２（Ａ），（Ｂ）の運転では、ケーシング（10）内に取り込まれた室内空気（RA）が通過する冷却加熱モジュール（20）への引張力が解除され、ケーシング（10）内に取り込まれた室外空気（OA）が通過する冷却加熱モジュール（20）へ引張力が付与される。また、図２２（Ａ），（Ｂ）の運転では、ケーシング（10）内に取り込まれた室内空気（RA）が通過する冷却加熱モジュール（20）に引張力が付与され、ケーシング（10）内に取り込まれた室外空気（OA）が通過する冷却加熱モジュール（20）への引張力が解除される。
【０１４４】
このように構成すれば、２つの室内ユニット（U1，U2）を部屋の一方の壁面に設置した空気調和装置（1）において、室内（3）を連続的に冷房する運転と、室内（3）を連続的に暖房する運転とを切り換えて行うことが可能になる。
【０１４５】
（変形例３）
上記実施形態４の変形例３は、図１３〜図１５及び図２３〜図２５の空気調和装置（1）において、引張力の付与状態を切り換えることにより、図１４の運転と図２４の運転とを切り換え可能に構成するとともに、図１５の運転と図２５の運転とを切り換え可能に構成したものである。装置の基本的な構成は図１３〜図１５及び図２３〜図２５と同様であるため、具体的な説明は省略する。
【０１４６】
この空気調和装置（1）において、図１４，１５の運転では、ケーシング（10）内に取り込まれた室内空気（RA）が通過する冷却加熱モジュール（20）への引張力が解除され、ケーシング（10）内に取り込まれた室外空気（OA）が通過する冷却加熱モジュール（20）へ引張力が付与される。また、図２４，２５の運転では、ケーシング（10）内に取り込まれた室内空気（RA）が通過する冷却加熱モジュール（20）に引張力が付与され、ケーシング（10）内に取り込まれた室外空気（OA）が通過する冷却加熱モジュール（20）への引張力が解除される。
【０１４７】
このように構成すれば、２つの冷却加熱モジュール（20）を備えたケーシング（10）内で空気の流通経路を切り換え可能なユニットを用いた空気調和装置（1）において、室内（3）を連続的に冷房する運転と、室内（3）を連続的に暖房する運転とを切り換えて行うことが可能になる。
【０１４８】
（変形例４）
実施形態４の変形例４は、図２６及び図２７の空気調和装置（1）において、引張力の付与状態を切り換えることにより、図２６（Ａ）の運転と図２７（Ａ）の運転とを切り換え可能に構成するとともに、図２６（Ｂ）の運転と図２７（Ｂ）の運転とを切り換え可能に構成したものである。装置の基本的な構成は図２６及び図２７と同様であるため、具体的な説明は省略する。
【０１４９】
この空気調和装置（1）において、図２６（Ａ），（Ｂ）の運転では、ケーシング（10）内に取り込まれた室内空気（RA）が通過する冷却加熱モジュール（20）と調湿モジュール（24）への引張力が解除され、ケーシング（10）内に取り込まれた室外空気（OA）が通過する冷却加熱モジュール（20）と調湿モジュール（24）へ引張力が付与される。また、図２７（Ａ），（Ｂ）の運転では、ケーシング（10）内に取り込まれた室内空気（RA）が通過する冷却加熱モジュール（20）と調湿モジュール（24）に引張力が付与され、ケーシング（10）内に取り込まれた室外空気（OA）が通過する冷却加熱モジュール（20）と調湿モジュール（24）への引張力が解除される。
【０１５０】
このように構成すれば、２つの室内ユニット（U1，U2）のそれぞれに冷却加熱モジュール（20）と調湿モジュール（24）を設けた空気調和装置（1）において、室内（3）を連続的に除湿冷房する運転と、室内（3）を連続的に加湿暖房する運転とを切り換えて行うことが可能になる。
【０１５１】
《発明の実施形態５》
本発明の実施形態５について説明する。図２８に示す実施形態５は、冷却加熱モジュール（20）の具体的な構成に関するものである。本実施形態５に係る冷却加熱モジュール（20）では、切換制御部（35）によって、第１可動板（41a）および第２可動板（41b）で構成される可動板（41）の位置を調節することで、熱歪材料（21）へ付与される引張力の付与と解除を切り換えている。
【０１５２】
本実施形態５に係る冷却加熱モジュール（20）は、図２８に示すように、第１および第２冷却加熱モジュール（20a,20b）で構成されている。図２８において、第１冷却加熱モジュール（20a）が右側に配置され、第２冷却加熱モジュール（20b）が左側に配置されているものとする。
【０１５３】
各冷却加熱モジュール（20a,20b）は、それぞれが熱歪材料（21）と、アクチュエータ（22）と、切換制御部（35）とを備えている。そして、両冷却加熱モジュール（20a,20b）の間は、仕切板（43）によって左右に仕切られている。
【０１５４】
上記熱歪材料（21）は、上下に延びるワイヤ状に形成されている。この熱歪材料（21）は、例示として形状記憶合金によって構成され、引張力をかけることで対象物を加熱する一方、引張力を解除することで対象物を冷却するものである。具体的には、図３に示すように、熱歪材料（21）に引張力をかけると、母相（オーステナイト相）からマルテンサイト相へと相変化することで、エントロピーが減少し、その分、発熱して熱歪材料（21）自身が加熱される（ＩからII）。熱歪材料（21）に引張力をかけたまま、該熱歪材料（21）を加熱対象物に接触させると、熱歪材料（21）の熱が加熱対象物に伝わる（IIからIII）。こうすることで、熱歪材料（21）の温度は下がる。そして、熱歪材料（21）にかけられている引張力を除去（解除）すると、マルテンサイト相から母相（オーステナイト相）に変化する（IIIからIV）。このとき、熱歪材料（21）が断熱されていると、熱歪材料（21）の温度が下がる。温度が下がった熱歪材料に冷却対象物を接触させると、該冷却対象物の熱が熱歪材料（21）に伝わる（IVからＩ）。
【０１５５】
上記アクチュエータ（22）は、固定板（40）と第１および第２可動板（41a,41b）と第１および第２カム（46,47）と回転軸（39）とを備えている。上記固定板（40）は、略長方形状の薄板に形成されている。固定板（40）の下面は、仕切板（43）によって左右の領域に仕切られ、右側の領域に第１冷却加熱モジュール（20a）の熱歪材料（21）の一端が取り付けられ、左側の領域に第２冷却加熱モジュール（20b）の熱歪材料（21）の一端が取り付けられている。
【０１５６】
上記仕切板（43）は、第１および第２冷却加熱モジュール（20a,20b）の間を左右に仕切るものである。仕切板（43）は、略Ｔ字状に形成された部材である。仕切板（43）は、固定板（40）と直交方向の下方に延びる矩形の薄板に形成される本体部（44）と、固定板（40）と略平行に延びる矩形の薄板に形成されるフランジ部（45）とで形成されている。仕切板（43）は、本体部（44）の基端が固定板（40）に対して取り付けられ、フランジ部（45）は、熱歪材料（21）の他端と略同じ高さ位置に配置されている。
【０１５７】
上記第１および第２可動板（41a,41b）は、熱歪材料（21）に引張力を付与するための部材であって、第１冷却加熱モジュール（20a）および第２冷却加熱モジュール（20b）に対応して設けられている。第１可動板（41a）は、第１冷却加熱モジュール（20a）の熱歪材料（21）の他端に取り付けられ、固定板（40）と対向して配置されている。また、第２可動板（41b）は、第２冷却加熱モジュール（20b）の熱歪材料（21）の他端に取り付けられ、固定板（40）と対向して配置されている。第１可動板（41a）と固定板（40）との間には、第１空気通路（42a）が形成され、第２可動板（41b）と固定板（40）との間には、第２空気通路（42b）が形成されている。
【０１５８】
また、第１および第２可動板（41a,41b）は、略矩形状の薄板に形成されると共に、所定の重量を有している。このため、第１および第２可動板（41a,41b）は、その重みによって熱歪材料（21）に荷重がかかることで、該熱歪材料（21）に下方への引張力が付与される。したがって、第１および第２可動板（41a,41b）は、熱歪材料（21）に対して引張力を付与可能な重さを有している。
【０１５９】
上記第１および第２カム（46,47）は、第１および第２可動板（41a,41b）の幅方向（図２８の奥行き方向）に延びる略円筒形状に形成された部材である。第１カム（46）には、円形の外周部（48）と、半円部分が切り欠かれた小径部（49）とが形成されている。また、第１カム（46）には、回転軸（39）がその中心に挿通され、回転軸（39）の回転方向に回転可能となるように取り付けられている。第２カム（47）には、円形の外周部（48）と、半円部分が切り欠かれた小径部（49）とが形成されている。また、第２カム（47）には、回転軸（39）がその中心に挿通され、回転軸（39）の回転方向に回転可能となるように取り付けられている。回転軸（39）には、切換制御部（35）が接続され、切換制御部（35）によって、第１および第２カム（46,47）の回転位置が制御される。
【０１６０】
そして、第１および第２カム（46,47）は、左右で互いに１８０°位相がずれるようになっている。すなわち、第１可動板（41a）に対して、第１カム（46）の外周部（48）が接触した場合、第２可動板（41b）に対して、第２カム（47）の小径部（49）が接触するように構成されている。こうすることで、第２冷却加熱モジュール（20b）の熱歪材料（21）に対して第２可動板（47b）の荷重がかかり、引張力が付与される。このため、第２冷却加熱モジュール（20b）の熱歪材料（21）が発熱されて、周囲を流れる空気が加熱される。一方、第１冷却加熱モジュール（20a）の熱歪材料（21）は、第１可動板（47a）の荷重が第１カム（46）に支えられ、引張力が解除されている。このため、第１冷却加熱モジュール（20a）の熱歪材料（21）が冷却されて、周囲を流れる空気が冷却される。
【０１６１】
ここで、上記実施形態５では、引張解除部（36）は、空気調和装置（1）の空調運転が停止された場合に、引張力が付与された状態の熱歪材料（21）の引張力を解除するようアクチュエータ（22）を制御する。具体的には、引張力が付与された熱歪材料（21）に対応する第１又は第２カム（46,47）の回転位置をカムの外周部が接触するように移動させることで、可動板（47a,47b）が支えられて引張力が解除される。
【０１６２】
この実施形態５の冷却加熱モジュール（20）は、簡単な構成で実用化できるとともにモジュール自体を小型化できるので、例えば図１２に示した実施形態１の変形例２の空気調和装置（1）に適用することにより、空気調和装置（1）の構成が複雑化するのを抑え、同時に装置（1）を小型化することもできる。
【０１６３】
また、本形態では、加熱と冷却とを切り換えて行うことができるため、上記実施形態における切換型の空気調和装置（1）に対して好適である。
【０１６４】
尚、各回転軸（39,39）には、それぞれにモータを取り付けて２つのカム（46,47）の位相が１８０°になるように制御してもよいし、１つのモータからギヤなどを介して連動するようにしてもよい。
【０１６５】
また、カムの形状は、図２９に示すように、小径部（49）と外周部（48）との割合を異ならせたり、図３０に示すように、単に回転軸（39）を偏心させて構成するようにしてもよいし、図３１に示すように、外周部（48）の曲率を異ならせ、且つ回転軸（39）を偏心させるようにしてもよい。
【０１６６】
（変形例１）
次に、実施形態５の変形例１について説明する。本変形例１は、上記実施形態１とは、アクチュエータ（22）の構成が異なっている。尚、切換制御部（35）の図示は省略している。
【０１６７】
具体的には、図３２に示すように、本変形例１に係るアクチュエータ（22）は、上記実施形態５に係るアクチュエータ（22）のように、重量を有する第１および第２可動板（41b）を備えておらず、代わりに第１および第２可動ハウジング（50a,50b）を有している。この第１可動ハウジング（50a）は、第１冷却加熱モジュール（20a）に対応して設けられ、第２可動ハウジング（50b）は、第２冷却加熱モジュール（20b）に対応して設けられている。
【０１６８】
第１および第２可動ハウジング（50a,50b）は、それぞれ側面が開口した直方体状の箱体に形成され、上面壁が左右に突出して形成されている。第１および第２可動ハウジング（50a,50b）の上面壁には、熱歪材料（21）の他端が取り付けられている。第１可動ハウジング（50a）の内部には、第１カム（46）と回転軸（39）とが配置され、第２可動ハウジング（50b）の内部には、第２カム（47）と回転軸（39）とが配置されている。第１および第２カム（46,47）は、切換制御部（35）によって、左右で１８０°位相がずれるようになっている。すなわち、図３２に示すように、第１可動ハウジング（50a）の内面下部に第１カム（46）の小径部（49）が接触すると、第２可動ハウジング（50b）の内面下部に第２カム（47）の外周部（48）が接触するように構成されている。こうすることで、第２可動ハウジング（50b）が、第２カム（47）の外周部（48）によって下方に引っ張られ、第２冷却加熱モジュール（20b）の熱歪材料（21）が下方に引っ張られる。
【０１６９】
そして、各回転軸（39,39）が回転すると、位相が１８０°ずれ、第２可動ハウジング（50b）の内面下部に第２カム（47）の小径部（49）が接触し、第１可動ハウジング（50a）の内面下部に第１カム（46）の外周部（48）が接触する。こうすることで、第１可動ハウジング（50a）が、第１カム（46）の外周部（48）によって下方に引っ張られ、第１冷却加熱モジュール（20a）の熱歪材料（21）が下方に引っ張られる。
【０１７０】
（変形例２）
次に、実施形態５の変形例２について説明する。本変形例２は、図３３に示すように、上記実施形態１とは、アクチュエータ（22）の構成が異なっている。尚、切換制御部（35）の図示は省略している。
【０１７１】
具体的には、本変形例２に係るアクチュエータ（22）は、第１および第２アーム（51,52）と、２つの回転軸（39,39）と、ステッピングモータ（図示なし）とを備えているものである。
【０１７２】
上記回転軸（39,39）は、その軸方向が可動板（41a,41b）の幅方向（図３３の奥行き方向）に延びる回転軸である。回転軸（39,39）は、仕切板（43）の下方に配置されている。各回転軸（39,39）には、対応する第１および第２アーム（51,52）が取り付けられている。これらの回転軸（39,39）は、それぞれがステッピングモータに接続され、該ステッピングモータによって周方向に自在に回転可能に構成されている。尚、各回転軸（39,39）は、ステッピングモータによって個別に回転可能に構成されている。
【０１７３】
上記第１および第２アーム（51,52）は、細長い板状部材に形成され、回転軸（39,39）に対して取り付けられている。第１アーム（51）の先端には、第１可動板（41a）に接触させる第１支持部（51a）が形成され、第２アーム（52）の先端には、第２可動板（41b）に接触させる第２支持部（52a）が形成されている。第１アーム（51）は、その基端が一の回転軸（39）に取り付けられ、その先端が第１可動板（41a）に向かって延びている。また、第２アーム（52）は、その基端が他の回転軸（39）に取り付けられ、その先端が第２可動板（41b）に向かって延びている。
【０１７４】
そして、図３３に示すように、一の回転軸（39）が反時計回りに回転した場合、回転に伴って第１アーム（51）の先端の第１支持部（51a）が上昇し、反対に他の回転軸（39）によって第２アーム（52）の先端の第２支持部（52a）が下降する。このとき、第１アーム（51）の第１支持部（51a）が下方から第１可動板（41a）を押し上げることで、第１冷却加熱モジュール（20a）の熱歪材料（21）に第１可動板（41a）の重みが、かからなくなって引張力が解除され、反対に、第２冷却加熱モジュール（20b）の熱歪材料（21）へ第２可動板（41b）の重みがかかり、引張力が付与される。
【０１７５】
逆に、図３３に示すように、一の回転軸（39）が時計回りに回転した場合、第１アーム（51）の第１支持部（51a）が下降して第１可動板（41a）から離れることで、第１冷却加熱モジュール（20a）に第１可動板（41a）の重みがかかる。このため、第１冷却加熱モジュール（20a）の熱歪材料（21）へ引張力が付与される。
【０１７６】
ここで、上記変形例２では、引張解除部（36）は、空気調和装置（1）の空調運転が停止された場合に、引張力が付与された状態の熱歪材料（21）の引張力を解除するようアクチュエータ（22）を制御する。具体的には、引張力が付与された熱歪材料（21）に対応する第１又は第２アーム（51,52）の支持部（51a,52a）が下方から可動板（41a,41b）を押し上げることで、可動板（41a,41b）が支えられて引張力が解除される。
【０１７７】
尚、本変形例２では、ステッピングモータの１ステップあたりの回転角を調整することで、各可動板（41a,41b）の重量を調整するようにしてもよい。こうすることで、熱歪材料（21）へ付与される引張力を調整して発熱量を調整することができる。
【０１７８】
（変形例３）
次に、実施形態５の変形例３について説明する。本変形例３は、上記変形例２とは、アクチュエータ（22）の構成が異なっている。
【０１７９】
具体的には、図３４に示すように、本変形例３に係るアクチュエータ（22）は、第１および第２可動ハウジング（50a,50b）と、第１および第２アーム（51,52）と回転軸（39）とを備えている。第１アーム（51）は、第１可動ハウジング（50a）に対して取り付けられ、第２アーム（52）は、第２可動ハウジング（50b）に対して取り付けられている。このため、第１アーム（51）の第１支持部（51a）の上昇に伴って第１可動ハウジング（50a）が上昇する一方、第２アーム（52）の第２支持部（52a）の下降に伴って第２可動ハウジング（50b）が下降するように構成されている。その他の構成、作用・効果は、上記変形例２と同様である。
【０１８０】
（変形例４）
次に、実施形態５の変形例４について説明する。本変形例４は、上記実施形態５とは、アクチュエータ（22）と切換制御部（35）の構成が異なっている。
【０１８１】
具体的には、図３５に示すように、本変形例４に係るアクチュエータ（22）は、固定板（40）と、第１および第２可動板（56,57）と、第１および第２電磁石（53,54）とを備えている。
【０１８２】
上記固定板（40）は、第１冷却加熱モジュール（20a）の下方に配置されている。第１可動板（56）は、第１冷却加熱モジュール（20a）の上方に配置され、第２可動板（57）は、第２冷却加熱モジュール（20b）の上方側に配置されている。固定板（40）と第１可動板（56）とは、互いに対向して配置され、固定板（40）と第２可動板（57）とは互いに対向して配置されている。この第１および第２可動板（56,57）は、それぞれ磁石又は鉄などの磁性金属によって構成されている。第１電磁石（53）は、第１可動板（56）の近傍で、且つ対向するように配置され、第２電磁石（54）は、第２可動板（57）の近傍で、且つ対向するように配置されている。第１および第２電磁石（53,54）は、共に切換制御部（35）に接続され、切換制御部（35）によって通電が切換制御されている。
【０１８３】
上記切換制御部（35）は、第１および第２電磁石（53,54）に対して付与する通電を制御するものである。すなわち、第１冷却加熱モジュール（20a）に対して引張力を付与する場合、第１電磁石（53）の極性を対向する第１可動板（56）の磁性と逆極性にすることで、第１冷却加熱モジュール（20a）の熱歪材料（21）に引張力を付与する。このとき、第２電磁石（54）への通電を停止することで、第２冷却加熱モジュール（20b）の熱歪材料（21）への引張力を解除する。
【０１８４】
一方、第２冷却加熱モジュール（20b）に対して引張力を付与する場合、第２電磁石（54）の極性を対向する第２可動板（57）の磁性と逆極性にすることで、第２冷却加熱モジュール（20b）の熱歪材料（21）に引張力を付与する。このとき、第１電磁石（53）への通電を停止することで、第１冷却加熱モジュール（20a）の熱歪材料（21）への引張力を解除する。
【０１８５】
ここで、上記変形例４では、引張解除部（36）は、空気調和装置（1）の空調運転が停止された場合に、引張力が付与された状態の熱歪材料（21）の引張力を解除するようアクチュエータ（22）を制御する。具体的には、引張力が付与された熱歪材料（21）に対応する第１又は第２電磁石（53,54）への通電を停止することで、引張力が解除される。
【０１８６】
（変形例５）
次に、実施形態５の変形例５について説明する。本変形例５は、上記実施形態５の変形例４とは、アクチュエータ（22）の構成が異なっている。本変形例５では、上記変形例４と異なる部分についてのみ説明する。
【０１８７】
具体的には、図３６に示すように、本変形例５に係るアクチュエータ（22）では、固定板（40）が冷却加熱モジュール（20）の上方に配置されている。第１および第２可動板（56,57）は、冷却加熱モジュール（20）の下方に固定板（40）と対向して配置され、これらの第１および第２可動板（56,57）と対向するように第１および第２電磁石（53,54）が配置されている。
【０１８８】
上記第１および第２可動板（56,57）は、磁石又は鉄などの磁性金属によって構成されると共に、所定の重量を有している。
【０１８９】
第１冷却加熱モジュール（20a）に対して引張力を付与する場合、第１電磁石（53）への通電を停止することで、第１可動板（56）の重量によって第１冷却加熱モジュール（20a）の熱歪材料（21）に引張力を付与する。このとき、第２電磁石（54）の極性を対向する第２可動板（57）の磁性と同極として、第２冷却加熱モジュール（20b）の熱歪材料（21）への引張力を解除する。
【０１９０】
一方、第２冷却加熱モジュール（20b）に対して引張力を付与する場合、第２電磁石（54）への通電を停止することで、第２可動板（57）の重量によって第２冷却加熱モジュール（20b）の熱歪材料（21）に引張力を付与する。このとき、第１電磁石（53）の極性を対向する第１可動板（56）の磁性と同極として、第１冷却加熱モジュール（20a）の熱歪材料（21）への引張力を解除する。
【０１９１】
尚、本変形例５では、第１および第２可動板（56,57）は、所定の重量を有するようにしていたが、第１および第２可動板（56,57）を、磁石又は鉄などの磁性金属によって構成され、且つ比較的軽量な部材で構成するようにしてもよい。
【０１９２】
この場合、第１冷却加熱モジュール（20a）に対して引張力を付与する際、第１電磁石（53）の磁性を第１可動板（56）の極性と逆極性にして第１冷却加熱モジュール（20a）の熱歪材料（21）に引張力を付与する。このとき、第２電磁石（54）への通電を停止することで、第２冷却加熱モジュール（20b）の熱歪材料（21）への引張力を解除する。
【０１９３】
一方、第２冷却加熱モジュール（20b）に対して引張力を付与する際、第２電磁石（54）の磁性を第２可動板（57）の極性と逆極性にして第２冷却加熱モジュール（20b）の熱歪材料（21）に引張力を付与する。このとき、第１電磁石（53）への通電を停止することで、第１冷却加熱モジュール（20a）の熱歪材料（21）への引張力を解除する。
【０１９４】
（変形例６）
次に、実施形態５の変形例６について説明する。本変形例６は、上記実施形態５の変形例４とは、アクチュエータ（22）の構成が異なっている。本変形例６では、上記変形例４と異なる部分についてのみ説明する。
【０１９５】
具体的には、図３７に示すように、本変形例４に係るアクチュエータ（22）は、熱歪材料（21）と、第１および第２可動板（56,57）と、第１および第２電磁石（53,54）と、仕切板（43）とを備えている。
【０１９６】
上記第１および第２可動板（56,57）は、それぞれが略長方形状の薄板に形成されている。第１可動板（56）は、第１冷却加熱モジュール（20a）の右端寄りに縦配置され、第２可動板（57）は、第２冷却加熱モジュール（20b）の左端寄りに縦配置されている。第１可動板（56）の左端面には、第１冷却加熱モジュール（20a）の熱歪材料（21）の一端が接続され、第２可動板（57）の右端面には、第２冷却加熱モジュール（20b）の熱歪材料（21）の一端が接続されている。
【０１９７】
上記仕切板（43）は、第１冷却加熱モジュール（20a）と第２冷却加熱モジュール（20b）との間に、第１および第２可動板（56,57）と対向するように配置されるものである。仕切板（43）には、第１冷却加熱モジュール（20a）および第２冷却加熱モジュール（20b）のそれぞれの熱歪材料（21）の他端が接続されている。
【０１９８】
（変形例７）
図３８および図３９は、実施形態５の変形例７に係る冷却加熱モジュール（20）およびアクチュエータ（22）の構成を示す図である。なお、図３８では、第１冷却加熱モジュール（20a）用、及び第２冷却加熱モジュール（20b）用の両方のアクチュエータ（22）を図示してある。これらのアクチュエータ（22）は、形状記憶合金が形状回復する際の回復応力を利用して、熱歪材料（21）に引張力を印加する。アクチュエータ（22）は、ワイヤー部（22a）、電源部（22b）、及びスイッチ（22c）を備えている。
【０１９９】
ワイヤー部（22a）は、ワイヤ状の形状記憶合金で構成されている。より詳しくは、ワイヤー部（22a）を構成する形状記憶合金は、加熱すると収縮するように構成されている。ワイヤー部（22a）の一端は、ローラー（29）を介して、可動板（41）における熱歪材料（21）の反対面に固定されている（図３８を参照）。このローラー（29）は、回転自在にケーシング（10）に固定され、ワイヤー部（22a）の向きを変えるために設けてある。また、この例では、ワイヤー部（22a）の他端は、ケーシング（10）に固定されている。そのため、例えば、ワイヤー部（22a）が加熱されて収縮すると、第１冷却加熱モジュール（20a）の可動板（41）は、同図の左に引っ張られ、第２冷却加熱モジュール（20b）の可動板（41）は、同図の右に引っ張られる。
【０２００】
電源部（22b）は、スイッチ（22c）を介して、ワイヤー部（22a）に接続されている。このスイッチ（22c）をオンにすると、該ワイヤー部（22a）（形状記憶合金）に所定の電流が流れて、形状記憶合金自身が発熱するようになっている。スイッチ（22c）のオンオフは、コントローラ（33）の切換制御部（35）が制御する。
【０２０１】
なお、アクチュエータ（22）には、ワイヤー部（22a）の加熱を解除した際に、該ワイヤー部（22a）が加熱前の形状に戻る（延びる）ように、金属バネを設けてもよい。
【０２０２】
まず、第１冷却加熱モジュール（20a）において冷却動作が行われる場合、切換制御部（35）によって、ワイヤー部（22a）（形状記憶合金）への通電がオフにされる。これにより、第１冷却加熱モジュール（20a）では、アクチュエータ（22）の形状記憶合金の温度が下がり、熱歪材料（21）への引張力が解除される。その結果、第１冷却加熱モジュール（20a）の熱歪材料（21）が吸熱し、空気が冷却される。
【０２０３】
一方、第２冷却加熱モジュール（20b）において加熱動作が行われる。第２冷却加熱モジュール（20b）では、切換制御部（35）によって、ワイヤー部（22a）（形状記憶合金）への通電がオンにされる。これにより、アクチュエータ（22）の形状記憶合金の温度が上がって収縮する。その結果、第２冷却加熱モジュール（20b）では、熱歪材料（21）に引張力が付与されて発熱する。したがって、熱歪材料（21）の熱を空気が奪い、該空気が加熱される。
【０２０４】
次に、第２冷却加熱モジュール（20b）において冷却動作が行われる場合、切換制御部（35）によって、ワイヤー部（22a）（形状記憶合金）への通電がオフにされる。これにより、第２冷却加熱モジュール（20b）では、アクチュエータ（22）の形状記憶合金の温度が下がり、熱歪材料（21）への引張力が解除される。したがって、第２冷却加熱モジュール（20b）の熱歪材料（21）が吸熱し、空気が冷却される。
【０２０５】
一方、第１冷却加熱モジュール（20a）において加熱動作が行われる。第２冷却加熱モジュール（20b）では、切換制御部（35）によって、ワイヤー部（22a）（形状記憶合金）への通電がオンにされる。これにより、アクチュエータ（22）の形状記憶合金の温度が上がって収縮する。その結果、第１冷却加熱モジュール（20a）では、熱歪材料（21）に引張力が付与される。したがって、熱歪材料（21）の熱を空気が奪い、該空気が加熱される。
【０２０６】
ここで、本変形例７では、引張解除部（36）は、空気調和装置（1）の空調運転が停止された場合に、引張力が付与された状態の熱歪材料（21）の引張力を解除するようアクチュエータ（22）を制御する。具体的には、引張力が付与された熱歪材料（21）に対応するワイヤー部（22a）への通電をオフにすることで、引張力が解除される。
【０２０７】
以上のように、本変形例では、形状記憶合金を用いてアクチュエータ（22）を構成したので、モータで引張力を熱歪材料に印加する場合と比べ、コンパクトに構成できる。また、本変形例のアクチュエータ（22）は、モータと比べ作動音をはるかに小さくできる。
【０２０８】
（変形例８）
本変形例８でも、アクチュエータ（22）の別の例を説明する。図４０は、本変形例８に係るアクチュエータ（22）の構成を模式的に示す図である。本変形例８のアクチュエータ（22）は、磁場を印加すると形状が回復する形状記憶合金（以下、磁性形状記憶合金という）を用い、その形状記憶合金が形状回復する際の回復応力を利用して引張力を発生する。本変形例８のアクチュエータ（22）は、ワイヤー部（22a）、電源部（22b）、スイッチ（22c）、及びコイル（65）を備えている。
【０２０９】
ワイヤー部（22a）は、前記磁性形状記憶合金で構成されている。より具体的には、ワイヤー部（22a）は、ワイヤ状の形態を有し、磁場を印加すると収縮するように構成されている。ワイヤー部（22a）の取り付け構造は、実施形態１と同様である。すなわち、ワイヤー部（22a）の一端は、ローラー（29）を介して、可動板（41）における熱歪材料（21）の反対面に固定されている。また、ワイヤー部（22a）の他端は、ケーシング（10）に固定されている。そのため、例えば、ワイヤー部（22a）に磁場が印加されて収縮すると、第１冷却加熱モジュール（20a）の熱歪材料（21）、及び第２冷却加熱モジュール（20b）の熱歪材料（21）が引張られる。
【０２１０】
コイル（65）は、ワイヤー部（22a）の周囲を取り囲むように、被覆電線が巻回されて構成されている。すなわち、コイル（65）に電流を流すとワイヤー部（22a）に磁場が印加される。
【０２１１】
電源部（22b）は、スイッチ（22c）を介して、コイル（65）に接続されている。スイッチ（22c）をオンにすると、該コイル（65）に所定の電流が流れてワイヤー部（22a）に磁場が印加されるようになっている。スイッチ（22c）のオンオフは、切換制御部（35）が制御する。
【０２１２】
なお、アクチュエータ（22）には、ワイヤー部（22a）の磁場印加を解除した際に、該ワイヤー部（22a）が磁場印加前の形状に戻る（延びる）ように、金属バネを設けてもよい。
【０２１３】
前記の構成により、本変形例８においても、それぞれの冷却加熱モジュール（20a,20b）の熱歪材料（21）への引張力の付与と解除を行える。したがって、変形例７の装置と同様に、冷房運転を連続して行うことができる。そして、アクチュエータ（22）を、磁性形状記憶合金で構成したので、熱によって回復する形状記憶合金に比べ、発生する力が大きく、応答性や耐久性の向上が期待される。
【０２１４】
ここで、本変形例８では、引張解除部（36）は、空気調和装置（1）の空調運転が停止された場合に、引張力が付与された状態の熱歪材料（21）の引張力を解除するようアクチュエータ（22）を制御する。具体的には、引張力が付与された熱歪材料（21）に対応するコイル（65）への通電をオフにすることで、ワイヤー部（22a）への磁場の印加が停止されて引張力が解除される。
【０２１５】
《発明の実施形態６》
本実施形態６では、空気調和装置の一例である調湿装置（加湿装置、除湿装置の何れも可能）の例を説明する。調湿装置を構成するには、熱歪材料（21）に吸着層を設けて調湿モジュールを構成する。図４１は、調湿モジュール（70）の構成例を示す図である。同図に示すように、調湿モジュール（70）は、前記実施形態の冷却加熱モジュール（20a,20b）における熱歪材料（21）の熱歪材料を、吸着層（23）を塗布した熱歪材料に置き換えて構成したものである。尚、調湿モジュール（70）とコントローラ（33）とにより調湿ユニット（図示なし）が構成されている。
【０２１６】
吸着層（23）は、空気中の水分の吸着と脱離が可能な材料で構成されている。詳しくは、吸着層（23）は、空気中の水分を吸着し、加熱すると吸着した水分を放出する。このような吸着層（23）としては、具体的には、ゼオライト、シリカゲル、活性炭、親水性又は吸水性を有する有機高分子ポリマー系材料、カルボン酸基又はスルホン酸基を有するイオン交換樹脂系材料、感温性高分子等の機能性高分子材料などが挙げられる。
【０２１７】
図４２（Ａ）に示すように、調湿モジュール（70）の熱歪材料（21）に、アクチュエータ（22）によって引張力を加えると、熱歪材料（21）が発熱し、それによって吸着層（23）は吸着している水分を放出する。また、図４２（Ｂ）に示すように、アクチュエータ（22）の引張力を解除すると、熱歪材料（21）の温度が低下し、吸着層（23）が空気中の水分を吸着する。
【０２１８】
例えば、加湿装置を構成する場合には、調湿モジュール（70）を２つ用い、一方の調湿モジュール（70）で空気を加湿して、その空気を室内（3）へ供給するとともに、他方の調湿モジュール（70）では吸湿動作を行う運転動作を交互に切り換えるようにすればよい。こうすることで、加湿運転を連続して行うことができる。除湿装置を構成する場合には、空気の流れの向きを、該加湿装置とは逆向きにすればよい。
【０２１９】
本実施形態６によれば、吸着層（23）の吸湿動作又は加湿動作が停止したら引張力が付与された熱歪材料（21）の引張力を解除するようにしたため、発熱又は吸熱しない場合に熱歪材料（21）に引張力が付与されるのを防止することができる。これにより、長期間の間、熱歪材料（21）に引張力が付与され続けるのを防ぐことができる。
【０２２０】
（変形例１）
図４３に示す変形例１は、調湿装置（1）のケーシング（10）内に２つの調湿モジュール（70）を設け、一方の調湿モジュール（70）（第１調湿モジュール（70a））を通過した空気を室内（3）に供給して他方の調湿モジュール（70）（第２調湿モジュール（70b））を通過した空気を室外へ放出する第１の運転動作と、第２調湿モジュール（70b）を通過した空気を室内（3）に供給して第１調湿モジュール（70a）を通過した空気を室外へ放出する第２の運転動作とを切り換えるように構成したものである。
【０２２１】
調湿装置（1）は、具体的には図４４，図４５に示すように構成されている。この調湿装置（1）は、２つの調湿モジュール（20a，20b）と２つのファン（30a，30b）を１つのケーシング（10）内に収納した一体型の構成で、天井裏に設置されている。図４４は、第１調湿モジュール（70a）を吸湿側にして第２調湿モジュール（70b）を放湿側にする第１の運転動作を示し、図４５は、第２調湿モジュール（70b）を吸湿側にして第１調湿モジュール（70a）を放湿側にする第２の運転動作を示している。また、図４４及び図４５において、それぞれ、（Ａ）図は平面構造図（装置を平面から見て内部構造を示す図）、（Ｂ）図は左側面構造図、（Ｃ）図は右側面構造図である。
【０２２２】
この調湿装置（1）のケーシング（10）は、四角い箱形に形成されている。このケーシング（10）の１つの側壁面には、室外空気（OA）をケーシング（10）内に取り入れる第１吸込口（11）と、室内空気（RA）をケーシング（10）内に取り入れる第２吸込口（12）が設けられている。また、上記各吸込口（11，12）が設けられている側壁面の左右の側壁面には、供給空気（SA）を室内（3）に供給する第１吹出口（13）と、排出空気（EA）を室外に排出する第２吹出口（14）が設けられている。これらの第１吸込口（11）、第２吸込口（12）、第１吹出口（13）及び第２吹出口（14）には、それぞれ図４３に模式的に矢印で示すダクト（4a，4b，4c，4d）が接続されている。
【０２２３】
上記ケーシング（10）内は、上記調湿モジュール（70）が配置された調湿室（C1，C2）と、ファン（30a，30b）が配置されたファン室（C3，C4）が設けられている。調湿室（C1，C2）は、図４４，図４５においてケーシング（10）内の左右に隣り合って位置する第１調湿室（C1）と第２調湿室（C2）とから構成されている。上記ファン室（C3，C4）は、同じくケーシング（10）の左右に隣り合って位置する第１ファン室（C3）と第２ファン室（C4）とから構成されている。第１ファン室（C3）には給気ファン（30a）が配置され、第２ファン室（C4）には排気ファン（30b）が配置されている。
【０２２４】
また、上記各吸込口（11，12）と調湿室（C1，C2）の間には入口側通風室（C5，C6）が形成されている。入口側通風室（C5，C6）は、上記ケーシング（10）の上下２段に配置された第１入口側通風室（C5）と第２入口側通風室（C6）とから構成されている。第１入口側通風室（C5）には第１吸込口（11）が設けられ、第２入口側通風室（C6）には第２吸込口（12）が設けられている。各入口側通風室（C5，C6）と各調湿室（C1，C2）との間には、開閉可能なダンパ（D1，D2，D3，D4）が１枚ずつ、合計４枚設けられている。
【０２２５】
上記調湿室（C1，C2）と上記ファン室（C3，C4）との間には出口側通風室（C7，C8）が形成されている。出口側通風室（C7，C8）は、上記ケーシング（10）の上下２段に配置された第１出口側通風室（C7）と第２出口側通風室（C8）とから構成されている。各調湿室（C1，C2）と各出口側通風室（C7，C8）との間には、開閉可能なダンパ（D5，D6，D7，D8）が１枚ずつ、合計４枚設けられている。
【０２２６】
各出口側通風室（C7，C8）は、上記各ファン室（C3，C4）と連通している。上記第１吹出口（13）はケーシング（10）の第１ファン室（C3）側に設けられ、上記第２吹出口（14）はケーシング（10）の第２ファン室（C4）側に設けられている。
【０２２７】
以上の構成においては、第１の運転動作のとき、ダンパ制御部（37）によって第１ダンパ（D1）、第４ダンパ（D4）、第５ダンパ（D5）及び第８ダンパ（D8）が開かれ、第２ダンパ（D2）、第３ダンパ（D3）、第６ダンパ（D6）及び第７ダンパ（D7）は閉じられる。また、第２の運転動作のとき、ダンパ制御部（37）によって、第２ダンパ（D2）、第３ダンパ（D3）、第６ダンパ（D6）及び第７ダンパ（D7）が開かれ、第１ダンパ（D1）、第４ダンパ（D4）、第５ダンパ（D5）及び第８ダンパ（D8）は閉じられる。
【０２２８】
このようにダンパ（D1〜D8）の開閉状態を制御することにより、第１の運転動作においては、図４４に示すように、第１吸込口（11）からケーシング（10）内に導入された室外空気が、第１ダンパ（D1）、第１調湿モジュール（70a）及び第５ダンパ（D5）を通って第１吹出口（13）から室内（3）へ供給されるとともに、第２吸込口（12）からケーシング（10）内に導入された室内空気が、第４ダンパ（D4）、第２調湿モジュール（70b）及び第８ダンパ（D8）を通って第２吹出口（14）から室外へ排出される。また、第２の運転動作においては、図４５に示すように、第１吸込口（11）からケーシング（10）内に導入された室外空気が、第３ダンパ（D3）、第２調湿モジュール（70b）及び第７ダンパ（D7）を通って第１吹出口（13）から室内（3）へ供給されるとともに、第２吹出口（14）からケーシング（10）内に導入された室内空気が、第２ダンパ（D2）、第１調湿モジュール（70a）及び第６ダンパ（D6）を通って第２吹出口（14）から室外へ排出される。
【０２２９】
そして、この実施形態６の変形例１では、ダンパの開閉状態を切り換えることにより、図４４の第１運転動作と図４５の第２運転動作が交互に繰り返される。
【０２３０】
また、本実施形態６の変形例１に係るコントローラ（33）は、図４６に示すように、上記実施形態１の変形例３のコントローラの構成に加えて再開制御部（71）と換気制御部（72）とを備えている。
【０２３１】
上記再開制御部（71）は、上記調湿運転の停止（すなわち、コントローラ（33）に対して調湿装置（1）の停止指令が入力された場合）後に調湿運転を再開させる際、調湿装置（1）の停止直前に吸湿動作が行われた吸着層（23）に対応する調湿モジュール（70）が放湿動作を行うようにしたものである。具体的には、再開制御部（71）は、調湿運転の再開時には、調湿運転の停止直前に吸湿動作が行われた吸着層（23）に対応する調湿モジュール（70）の吸着層（23）を加熱し、該吸着層（23）に吸着した水分を空気に放出する。
【０２３２】
上記換気制御部（72）は、上記調湿装置（1）の調湿運転を停止させた状態で、室外の空気を室内（3）に供給する換気運転を行うものである。換気制御部（72）は、調湿運転の停止後に給気ファン（33a）および排気ファン（33b）を共に運転させ、ダンパ（D1〜D8）を切り換えることで、室外の空気を室内（3）に取り込む。
【０２３３】
この調湿装置（1）は除湿専用機として構成されているので、室内（3）へ供給される空気が通過する調湿モジュール（70）は、第１調湿モジュール（70a）と第２調湿モジュール（70b）のどちらに切り換わっても、吸湿動作が行われる方の調湿モジュール（70）である。したがって、室内（3）へは、減湿された空気が連続して供給される。また、室外へ排出される空気が通過する調湿モジュール（70）は、第２調湿モジュール（70b）と第１調湿モジュール（70a）のどちらに切り換わっても放湿動作が行われる方の調湿モジュール（70）である。したがって、室外へ放出される空気が通過する調湿モジュール（70）は、常に再生側となる。
【０２３４】
このように、実施形態６の変形例１によれば、いずれか一方の調湿モジュール（20a，20b）で空気を減湿して、その空気を室内（3）へ供給するときに、他方の調湿モジュール（20b，20a）では吸着層（23）を再生する図４４の運転と図４５の運転を交互に切り換えることにより、除湿運転を連続して行うことができる。
【０２３５】
ここで、図４７に示すように、例えば、第１調湿モジュール（70a）の吸湿動作中にコントローラ（33）に対して調湿装置（1）の調湿運転の停止指令が入力されると、コントローラ（33）は、第１調湿モジュール（70a）への引張力の解除が完了するまで吸湿動作を継続する。そして、第１調湿モジュール（70a）への引張力の解除が完了すると、調湿装置（1）の調湿運転が停止し、給気ファン（30a）および排気ファン（30b）も停止する。引張解除部（36）は、第１調湿モジュール（20a）の引張力の解除が完了した後は、その解除状態を維持する。
【０２３６】
また、同じく図４７に示すように、第２調湿モジュール（70b）の放湿動作中にコントローラ（33）に対して調湿装置（1）の調湿運転の停止指令が入力されると、コントローラ（33）は、第２調湿モジュール（70b）への引張力の付与が完了するまで放湿動作を継続する。そして、第２調湿モジュール（70b）への引張力の付与が完了すると、調湿装置（1）の調湿運転が停止し、給気ファン（30a）および排気ファン（30b）も停止する。そして、引張解除部（36）は、第２調湿モジュール（70b）への引張力を解除する。引張解除部（36）は、第２調湿モジュール（70b）の引張力の解除が完了した後は、その解除状態を維持する。
【０２３７】
その後、調湿装置（1）の運転を再開する場合、再開制御部（71）は、調湿運転の停止指令時に、吸湿動作を行っていた調湿モジュール（70a,70b）が放湿動作を行うようにする。例えば図４７では、調湿運転の停止指令時には、第１調湿モジュール（70a）が吸湿動作を行っていたため、該第１調湿モジュール（70a）の熱歪材料（21）の吸着層（23）には、水分が吸着している。このため、調湿装置（1）の運転再開時に、第１調湿モジュール（70a）が放湿動作を行うことで、吸着層（23）に吸着した水分を無駄なく使うことができる。
【０２３８】
尚、いずれか一方の調湿モジュール（70a，70b）で空気を加湿して、その空気を室内（3）へ供給するようにしてもよい。具体的には、一方の調湿モジュール（70a）では放湿動作が行われ、他方の調湿モジュール（70b）では吸湿動作が行われるように、運転を交互に切り換えることにより、放湿動作によって水分が供給された空気を室内（3）に供給する加湿運転を連続して行うようにしてもよい。また、除湿運転と加湿運転とを切り換えて行うようにしてもよい。
【０２３９】
本変形例１によれば、調湿運転停止の際に水分を吸着した吸着層（23）を加熱させる動作によって調湿運転を再開させたため、調湿運転の再開直後に吸着層（23）の水分を空気に放出することができる。
【０２４０】
（変形例２）
図４８に示す変形例２は、調湿装置（1）で換気運転を行うようにしたものである。
【０２４１】
換気制御部（72）では、調湿運転を停止した状態で調湿装置（1）の第１動作および第２動作を切り換えて行う。つまり、第１調湿モジュール（70a）および第２調湿モジュール（70b）のいずれでも熱歪材料（21）が引っ張られることはない。このため、本変形例２に係る調湿装置（1）では、第１動作および第２動作を交互に行うことで室外の空気を室内（3）に吸湿又は放湿することなく供給させる一方、室内（3）の空気を吸湿又は放湿することなく室外に排出させる換気運転が行われる。
【０２４２】
このとき、図４９に示すように、引張解除部（36）は、調湿装置（1）の換気運転中は、第１調湿モジュール（70a）および第２調湿モジュール（70b）への引張力を解除し、その解除状態を維持する。
【０２４３】
本変形例２によれば、換気運転中において熱歪材料（21）へ付与される引張力を解除したため、熱歪材料（21）が発熱又は吸熱しない場合に該熱歪材料（21）に引張力が付与されるのを防止することができる。これにより、長期間の間、熱歪材料（21）に引張力が付与され続けるのを防ぐことができる。
【０２４４】
〈その他の実施形態〉
本発明は、上記実施形態について、以下のような構成としてもよい。
【０２４５】
上記実施形態に係る冷却加熱モジュール（20）において、図５０〜図５３に示すアクチュエータ（22）を用いて構成してもよい。
【０２４６】
図５０に係るアクチュエータは、ヒータ（111）とバイメタル（110）により構成されている。図５１に係るアクチュエータは、ピエゾ素子（112）により構成されている。図５２に係るアクチュエータは、駆動アーム（113）により構成されている。図５３に係るに係るアクチュエータは、ソレノイド（114）により構成されている。
【０２４７】
また、例えば、上記各実施形態においては、ケーシング（10）内に取り込んだ室内空気を冷却加熱モジュール（20）で処理して室内（3）に供給する一方、ケーシング（10）内に取り込んだ室外空気を冷却加熱モジュール（20）で処理して室外に排出する循環方式を採用しているが、ケーシング（10）内に取り込んだ室外空気を冷却加熱モジュール（20）で処理して室内（3）に供給する一方、ケーシング（10）内に取り込んだ室内空気を冷却加熱モジュール（20）で処理して室外に排出する換気方式を採用してもよい。
【０２４８】
また、上記各実施形態において説明している冷却加熱モジュール（20）の具体的な構成は、空気調和装置（1）の装置構成に応じて適宜変更してもよい。
【０２４９】
さらには、空気調和装置（1）の構成も、冷房運転や暖房運転、あるいは除湿冷房運転や加湿暖房運転を行える限りは適宜変更してもよい。
【０２５０】
また、実施形態５の変形例７において、図５４に示すように、熱歪材料（21）の表面に吸着層（23）を形成して調湿モジュール（70）を構成するようにしてもよい。
【０２５１】
尚、以上の実施形態は、本質的に好ましい例示であって、本発明、その適用物、あるいはその用途の範囲を制限することを意図するものではない。
【産業上の利用可能性】
【０２５２】
以上説明したように、本発明は、熱歪材料を有する冷却加熱ユニット、調湿ユニットおよび空気調和装置について有用である。
【符号の説明】
【０２５３】
１            空気調和装置
５            冷却加熱ユニット
２０          冷却加熱モジュール
２１          熱歪材料
２２          アクチュエータ
２３          吸着層
３０          ファン
３０ａ        給気ファン
３０ｂ        排気ファン
３５          切換制御部
３６          引張解除部
７０          調湿モジュール
７０ａ        第１調湿モジュール
７０ｂ        第２調湿モジュール
７１          再開制御部
７２          換気制御部
【図１】
2014077604.tif 000003
【図２】
2014077604.tif 000004
【図３】
2014077604.tif 000005
【図４】
2014077604.tif 000006
【図５】
2014077604.tif 000007
【図６】
2014077604.tif 000008
【図７】
2014077604.tif 000009
【図８】
2014077604.tif 000010
【図９】
2014077604.tif 000011
【図１０】
2014077604.tif 000012
【図１１】
2014077604.tif 000013
【図１２】
2014077604.tif 000014
【図１３】
2014077604.tif 000015
【図１４】
2014077604.tif 000016
【図１５】
2014077604.tif 000017
【図１６】
2014077604.tif 000018
【図１７】
2014077604.tif 000019
【図１８】
2014077604.tif 000020
【図１９】
2014077604.tif 000021
【図２０】
2014077604.tif 000022
【図２１】
2014077604.tif 000023
【図２２】
2014077604.tif 000024
【図２３】
2014077604.tif 000025
【図２４】
2014077604.tif 000026
【図２５】
2014077604.tif 000027
【図２６】
2014077604.tif 000028
【図２７】
2014077604.tif 000029
【図２８】
2014077604.tif 000030
【図２９】
2014077604.tif 000031
【図３０】
2014077604.tif 000032
【図３１】
2014077604.tif 000033
【図３２】
2014077604.tif 000034
【図３３】
2014077604.tif 000035
【図３４】
2014077604.tif 000036
【図３５】
2014077604.tif 000037
【図３６】
2014077604.tif 000038
【図３７】
2014077604.tif 000039
【図３８】
2014077604.tif 000040
【図３９】
2014077604.tif 000041
【図４０】
2014077604.tif 000042
【図４１】
2014077604.tif 000043
【図４２】
2014077604.tif 000044
【図４３】
2014077604.tif 000045
【図４４】
2014077604.tif 000046
【図４５】
2014077604.tif 000047
【図４６】
2014077604.tif 000048
【図４７】
2014077604.tif 000049
【図４８】
2014077604.tif 000050
【図４９】
2014077604.tif 000051
【図５０】
2014077604.tif 000052
【図５１】
2014077604.tif 000053
【図５２】
2014077604.tif 000054
【図５３】
2014077604.tif 000055
【図５４】
2014077604.tif 000056